(57)【要約】【課題】画面に含まれる画像の範囲の変更を複数台の情報処理装置間で同期させる場合に、所定の条件が成立している間は変更処理を保留し、成立していないとき、又は成立しなくなったときに変更処理を実行することによって、会議の参加者の利便性を向上させることができる情報処理装置、会議システム、情報処理方法、会議支援方法、及びコンピュータプログラムを提供する。【解決手段】所定の条件が成立しているため第１保留フラグ及び第２保留フラグの少なくとも一方がオンである場合（Ｓ６２又はＳ６３でＹＥＳ）、第１保留フラグ及び第２保留フラグが両方ともオフになるまで待機し（Ｓ６６でＮＯ）、両方ともオフになった場合（Ｓ６６でＹＥＳ）、又は所定の条件が成立していないため第１保留フラグ及び第２保留フラグが両方ともオフである場合（Ｓ６３でＮＯ）、Ｓ６１で受信した範囲データに基づいて、画面に含まれる画像の範囲を変更する（Ｓ６４）。【選択図】図１３
2011134122.tif 000002
【特許請求の範囲】
【請求項１】
受信した画像データに基づく画像を含む画面を表示する表示部と、
前記画像の範囲を示す範囲データを受信した場合に、受信した範囲データが示す範囲の画像を含む画面が前記表示部に表示されるように、前記範囲データに基づいて、前記表示部に表示される画面を変更する画面変更手段と
を備える情報処理装置において、
所定の条件が成立しているか否かを判定する判定手段と、
該判定手段が、成立していると判定している間は、前記画面変更手段による変更処理を保留する保留手段と
を備えることを特徴とする情報処理装置。
【請求項２】
前記画面に含まれる画像の範囲を変更するための変更操作を受け付ける操作部と、
該操作部が、前記変更操作を受け付けた場合に、受け付けた変更操作に応じた範囲の画像を含む画面が前記表示部に表示されるように、前記変更操作に応じて、前記表示部に表示される画面を変更する表示変更手段と、
該表示変更手段による変更後の画面に含まれる画像の範囲を示す範囲データを送信する送信手段と
を更に備えることを特徴とする請求項１に記載の情報処理装置。
【請求項３】
前記操作部は、少なくとも前記表示部に表示されている画面に含まれている画像に重ねるべき画像の画像データを生成するための画像生成操作を受け付けるようにしてあり、
前記判定手段は、前記操作部で前記画像生成操作がなされている場合に、成立していると判定するようにしてあり、
前記表示部は、生成された画像データに基づく画像を含む画面を表示するようにしてあることを特徴とする請求項２に記載の情報処理装置。
【請求項４】
前記操作部が前記画像生成操作を最後に受け付けた時点からの経過時間を計時する計時手段を更に備え、
前記判定手段は、前記計時手段の計時結果が所定時間以上である場合に、否と判定するようにしてあることを特徴とする請求項３に記載の情報処理装置。
【請求項５】
前記操作部は、前記画像生成操作の受け付けを開始／終了する操作を受け付けるようにしてあり、
前記判定手段は、前記操作部が前記画像生成操作の受け付けを終了する操作を受け付けた場合に、否と判定するようにしてあることを特徴とする請求項３又は４に記載の情報処理装置。
【請求項６】
前記操作部は、押圧操作すべき押圧操作部を有し、
前記判定手段は、前記押圧操作部が押圧操作され始めてから押圧操作され終わるまでの間、成立していると判定するようにしてあることを特徴とする請求項２から５の何れかひとつに記載の情報処理装置。
【請求項７】
前記表示部に表示されている画面に含まれている画像に重ねるべき画像の画像データを受信した場合、前記表示部は、前記保留手段による保留処理が実行されているか否かに拘らず、受信した画像データに基づく画像を含む画面を表示するようにしてあることを特徴とする請求項２から６の何れかひとつに記載の情報処理装置。
【請求項８】
複数の情報処理装置とサーバ装置とが通信可能に接続されており、
各情報処理装置は、
受信した画像データに基づく画像を含む画面を表示する表示部と、
前記画像の範囲を示す範囲データを受信した場合に、受信した範囲データが示す範囲の画像を含む画面が前記表示部に表示されるように、前記範囲データに基づいて、前記表示部に表示される画面を変更する画面変更手段と
を備え、
前記サーバ装置は、
画像データを前記情報処理装置へ配信する画像配信手段と、
範囲データを前記情報処理装置へ配信する範囲配信手段と
を備える会議システムにおいて、
前記情報処理装置は、
所定の条件が成立しているか否かを判定する判定手段と、
該判定手段が、成立していると判定している間は、前記画面変更手段による変更処理を保留する保留手段と
を備えることを特徴とする会議システム。
【請求項９】
受信した画像データに基づく画像を含む画面を表示する表示部を備える情報処理装置で、
前記画像の範囲を示す範囲データを受信した場合に、受信した範囲データが示す範囲の画像を含む画面が前記表示部に表示されるように、前記範囲データに基づいて、前記表示部に表示される画面を変更する情報処理方法において、
所定の条件が成立しているか否かを判定し、
前記所定の条件が成立している間は、前記範囲データに基づく前記画面の変更処理を保留することを特徴とする情報処理方法。
【請求項１０】
受信した画像データに基づく画像を含む画面を表示する表示部を夫々が備える複数の情報処理装置と、サーバ装置とが通信可能に接続されている会議システムで、
各情報処理装置が有する表示部に、互いに共通の画像が含まれている画面を表示させることによって、会議の実現を支援するために、
各情報処理装置では、
前記画像の範囲を示す範囲データを受信した場合に、受信した範囲データが示す範囲の画像を含む画面が前記表示部に表示されるように、前記範囲データに基づいて、前記表示部に表示される画面を変更し、
前記サーバ装置では、
画像データを前記情報処理装置へ配信し、
範囲データを前記情報処理装置へ配信する会議支援方法において、
前記情報処理装置では、
所定の条件が成立しているか否かを判定し、
前記所定の条件が成立している間は、前記範囲データに基づく前記画面の変更処理を保留することを特徴とする会議支援方法。
【請求項１１】
受信した画像データに基づく画像を含む画面を表示する表示部を備えるコンピュータに、
前記画像の範囲を示す範囲データを受信した場合に、受信した範囲データが示す範囲の画像を含む画面が前記表示部に表示されるように、前記範囲データに基づいて、前記表示部に表示される画面を変更させる範囲変更ステップを実行させるためのコンピュータプログラムであって、
コンピュータに、所定の条件が成立しているか否かを判定させる判定ステップと、
コンピュータに、前記判定ステップで、成立していると判定している間は、前記範囲変更ステップの実行を保留させる保留ステップと
を実行させることを特徴とするコンピュータプログラム。
【発明の詳細な説明】
【技術分野】
【０００１】
本発明は、会議の実現を支援するための情報処理装置、会議システム、情報処理方法、会議支援方法、及びコンピュータプログラムに関する。
【背景技術】
【０００２】
通信技術及び画像処理技術等の進歩により、会議の参加者同士が遠隔地にいる場合であっても問題なく会議を行なうことができる会議システムが実現されている（特許文献１，２参照）。このような会議システムでは、複数台の情報処理装置がネットワークに接続されており、各情報処理装置が有する表示部に、互いに共通の画像（例えば同一の会議用文書の１頁目の画像）が含まれている画面を表示させる。この結果、複数人の参加者が、会議に必要な情報を共有することができる。
以下では、複数台の情報処理装置を区別する場合に、便宜的に情報処理装置Α，Β，Γといい、情報処理装置Α，Β，Γを使用する参加者を、参加者α，β，γという。
【０００３】
まず、参加者αは、情報処理装置Αで会議用文書の１頁目の画像を閲覧しながら、参加者β，γに対し、この画像について解説する。このとき、参加者β，γは、情報処理装置Β，Γで１頁目の画像を閲覧している。
次に、参加者αは、２頁目の画像を閲覧しながら、更に解説を続ける。このために、参加者αは、情報処理装置Αを操作し、情報処理装置Αで閲覧している１頁目の画像を、２頁目の画像へ頁送りする。
このような場合に、参加者αが頁送りの指示を出し、出された指示に従って、参加者β，γが情報処理装置Β，Γを操作し、情報処理装置Β，Γで閲覧している１頁目の画像を、２頁目の画像へ頁送りするようでは、会議の能率が低下する。
【０００４】
そこで、近年の会議システムは、同期モードと非同期モードとを有している。
情報処理装置Α，Β，Γ全てが同期モードに設定されている場合には、情報処理装置Αで、参加者αの操作によって、１頁目の画像から２頁目の画像へ頁送りされたときに、情報処理装置Β，Γでも、１頁目の画像から２頁目の画像へ同期的に頁送りされる。このため、参加者β，γは、情報処理装置Β，Γを操作することなく、参加者αが閲覧している画像と同じ画像を閲覧することができる。
【０００５】
ところが、参加者γが、１頁目の画像を閲覧し続けたい場合、又は、１頁目の画像に対する書き込みをしている場合等には、情報処理装置Αでの頁送りと同期的に情報処理装置Γでも頁送りされてしまうと、参加者γの利便性が悪化する。
そこで、参加者γは、情報処理装置Γを非同期モードに設定する。
この場合には、情報処理装置Αで１頁目の画像から２頁目の画像へ頁送りされても、情報処理装置Γでは情報処理装置Αでの頁送りが無視されるかたちで、１頁目の画像を含む画面が表示部に表示され続ける。
【０００６】
一方、同期モードに設定されている情報処理装置Βでは、情報処理装置Αでの頁送りと同期的に頁送りされるため、参加者γの都合で参加者βの利便性が悪化することはない。
以上のような会議システムにおいて、同期モード（又は非同期モード）に設定されている情報処理装置Γでは、頁送りに限定されず、画像のスクロール、拡大、縮小、及び会議用文書の切り替え等、表示部に表示される画面の変更全般が、同期モードに設定されている他の情報処理装置Α，Βに同期（又は非同期）する。
【０００７】
ところで、従来、情報処理装置Γにおいては、参加者γが同期モードで行なった書き込みと、非同期モードで行なった書き込みとを、同一の画面で参照することができないという問題がある。
そこで、会議システムに、共有編集モードと個人編集モードとを導入することを考える。この場合、参加者γは、自分が１頁目の画像に対して共有編集モードで行なった書き込みと、個人編集モードで行なった書き込みとを、１頁目の画像を含む画面で同時に参照することができる。
【０００８】
情報処理装置Βが共有編集モードに設定されている場合、情報処理装置Βで表示されている画面において、参加者βが、例えば手書き文字を記入したとき、記入された手書き文字は、情報処理装置Βのみならず、情報処理装置Α，Γにも表示される。この結果、参加者βの手書き文字が、情報処理装置Α，Β，Γ間で共有される。換言すれば、参加者βの手書き文字を、参加者α，γも閲覧することができる。
【０００９】
このような共有編集モードでは、参加者βが手書き文字を記入している間にも、記入途中の手書き文字が、情報処理装置Α，Γにて表示される。従って、参加者βによる手書き文字の記入中に、参加者αが、参加者βの記入作業を阻害するような操作、具体的には、表示部に表示される画面を変更するような変更操作を行なう不都合が抑制される。
【００１０】
一方、表示されている画面に、他者と共有する必要がない個人的なメモ書きをしたい参加者γは、情報処理装置Γを、個人編集モードに設定する。
このとき、参加者γが記入した手書き文字が、情報処理装置Α，Γにて表示されることはない。従って、参加者γによる個人的なメモ書きを、参加者α，βが閲覧してしまう不都合が防止される。
【先行技術文献】
【特許文献】
【００１１】
【特許文献１】特開２００８−２９３１２６号公報
【特許文献２】特許第３８２１１７０号公報
【発明の概要】
【発明が解決しようとする課題】
【００１２】
しかしながら、従来の会議システムでは、参加者γが会議用文書の１頁目の画像を閲覧し終えた場合、又は１頁目の画像に対する書き込みを完了した場合等に、非同期モードに設定されている情報処理装置Γを、参加者γが、同期モードに設定しなおす必要がある。換言すれば、情報処理装置Γの同期モード／非同期モードを、参加者γが手動で切り替える必要があるため、参加者γの利便性が悪い。
【００１３】
また、参加者γが情報処理装置Γを同期モードに設定したまま、個人編集モードで手書き文字を記入している場合には、参加者αが変更操作を行ない、期せずして参加者γの記入作業を阻害してしまうような不都合が生じ易い。何故ならば、個人編集モードで記入中の手書き文字は、他の参加者には見えないからである。
一方、共有編集モードで記入中の手書き文字は他の参加者にも見える。とはいえ、参加者βが情報処理装置Βを同期モードに設定したまま、共有編集モードで手書き文字を記入している場合に、参加者αが誤って、変更操作を行ない、参加者βの記入作業を阻害してしまう可能性がないとはいえない。
【００１４】
このような不都合を防止するために、参加者βが共有編集モードで手書き文字を記入している間は、他の参加者による変更操作を受け付けない会議システムが考えられる。
しかしながら、参加者βの記入作業が終了するまで参加者αが変更操作を行なえないことが、会議の円滑な進行を阻害する可能性もある。
このため、参加者αの変更操作をなるべく制限せず、しかも、参加者αの都合による画面の変更が参加者β，γの不利益につながる場合に、情報処理装置Β，Γの同期モード／非同期モードが自動的に切り替わることが望ましい。
【００１５】
ところで、特許文献２には、画像に対する書き込み又は修正等を行なうための操作が行なわれた場合に、画像に対する共有すべき書き込み又は修正等が複数台の情報処理装置間で同期する同期モードから、同期しない非同期モードへ、一時的に切り替わる技術事項については記載されている。
しかしながら、１頁目の画像から２頁目の画像へ頁送りされるような画面の変更に関する同期／非同期が、所定の条件下で切り替わる技術事項については記載されていない。
【００１６】
本発明は斯かる事情に鑑みてなされたものであり、その主たる目的は、表示部に表示される画面を、受信した範囲データに基づいて変更する場合に、所定の条件が成立している間は変更処理を保留し、所定の条件が成立していないとき、又は所定の条件が成立しなくなったときには変更処理を実行する構成とすることにより、参加者の利便性を向上させることができる情報処理装置、会議システム、情報処理方法、会議支援方法、及びコンピュータプログラムを提供することにある。
【課題を解決するための手段】
【００１７】
本発明に係る情報処理装置は、受信した画像データに基づく画像を含む画面を表示する表示部と、前記画像の範囲を示す範囲データを受信した場合に、受信した範囲データが示す範囲の画像を含む画面が前記表示部に表示されるように、前記範囲データに基づいて、前記表示部に表示される画面を変更する画面変更手段とを備える情報処理装置において、所定の条件が成立しているか否かを判定する判定手段と、該判定手段が、成立していると判定している間は、前記画面変更手段による変更処理を保留する保留手段とを備えることを特徴とする。
【００１８】
本発明に係る情報処理装置は、前記画面に含まれる画像の範囲を変更するための変更操作を受け付ける操作部と、該操作部が、前記変更操作を受け付けた場合に、受け付けた変更操作に応じた範囲の画像を含む画面が前記表示部に表示されるように、前記変更操作に応じて、前記表示部に表示される画面を変更する表示変更手段と、該表示変更手段による変更後の画面に含まれる画像の範囲を示す範囲データを送信する送信手段とを更に備えることを特徴とする。
【００１９】
本発明に係る情報処理装置は、前記操作部は、少なくとも前記表示部に表示されている画面に含まれている画像に重ねるべき画像の画像データを生成するための画像生成操作を受け付けるようにしてあり、前記判定手段は、前記操作部で前記画像生成操作がなされている場合に、成立していると判定するようにしてあり、前記表示部は、生成された画像データに基づく画像を含む画面を表示するようにしてあることを特徴とする。
【００２０】
本発明に係る情報処理装置は、前記操作部が前記画像生成操作を最後に受け付けた時点からの経過時間を計時する計時手段を更に備え、前記判定手段は、前記計時手段の計時結果が所定時間以上である場合に、否と判定するようにしてあることを特徴とする。
【００２１】
本発明に係る情報処理装置は、前記操作部は、前記画像生成操作の受け付けを開始／終了する操作を受け付けるようにしてあり、前記判定手段は、前記操作部が前記画像生成操作の受け付けを終了する操作を受け付けた場合に、否と判定するようにしてあることを特徴とする。
【００２２】
本発明に係る情報処理装置は、前記操作部は、押圧操作すべき押圧操作部を有し、前記判定手段は、前記押圧操作部が押圧操作され始めてから押圧操作され終わるまでの間、成立していると判定するようにしてあることを特徴とする。
【００２３】
本発明に係る情報処理装置は、前記表示部に表示されている画面に含まれている画像に重ねるべき画像の画像データを受信した場合、前記表示部は、前記保留手段による保留処理が実行されているか否かに拘らず、受信した画像データに基づく画像を含む画面を表示するようにしてあることを特徴とする。
【００２４】
本発明に係る会議システムは、複数の情報処理装置とサーバ装置とが通信可能に接続されており、各情報処理装置は、受信した画像データに基づく画像を含む画面を表示する表示部と、前記画像の範囲を示す範囲データを受信した場合に、受信した範囲データが示す範囲の画像を含む画面が前記表示部に表示されるように、前記範囲データに基づいて、前記表示部に表示される画面を変更する画面変更手段とを備え、前記サーバ装置は、画像データを前記情報処理装置へ配信する画像配信手段と、範囲データを前記情報処理装置へ配信する範囲配信手段とを備える会議システムにおいて、前記情報処理装置は、所定の条件が成立しているか否かを判定する判定手段と、該判定手段が、成立していると判定している間は、前記画面変更手段による変更処理を保留する保留手段とを備えることを特徴とする。
【００２５】
本発明に係る情報処理方法は、受信した画像データに基づく画像を含む画面を表示する表示部を備える情報処理装置で、前記画像の範囲を示す範囲データを受信した場合に、受信した範囲データが示す範囲の画像を含む画面が前記表示部に表示されるように、前記範囲データに基づいて、前記表示部に表示される画面を変更する情報処理方法において、所定の条件が成立しているか否かを判定し、前記所定の条件が成立している間は、前記範囲データに基づく前記画面の変更処理を保留することを特徴とする。
【００２６】
本発明に係る会議支援方法は、受信した画像データに基づく画像を含む画面を表示する表示部を夫々が備える複数の情報処理装置と、サーバ装置とが通信可能に接続されている会議システムで、各情報処理装置が有する表示部に、互いに共通の画像が含まれている画面を表示させることによって、会議の実現を支援するために、各情報処理装置では、前記画像の範囲を示す範囲データを受信した場合に、受信した範囲データが示す範囲の画像を含む画面が前記表示部に表示されるように、前記範囲データに基づいて、前記表示部に表示される画面を変更し、前記サーバ装置では、画像データを前記情報処理装置へ配信し、範囲データを前記情報処理装置へ配信する会議支援方法において、前記情報処理装置では、所定の条件が成立しているか否かを判定し、前記所定の条件が成立している間は、前記範囲データに基づく前記画面の変更処理を保留することを特徴とする。
【００２７】
本発明に係るコンピュータプログラムは、受信した画像データに基づく画像を含む画面を表示する表示部を備えるコンピュータに、前記画像の範囲を示す範囲データを受信した場合に、受信した範囲データが示す範囲の画像を含む画面が前記表示部に表示されるように、前記範囲データに基づいて、前記表示部に表示される画面を変更させる範囲変更ステップを実行させるためのコンピュータプログラムであって、コンピュータに、所定の条件が成立しているか否かを判定させる判定ステップと、コンピュータに、前記判定ステップで、成立していると判定している間は、前記範囲変更ステップの実行を保留させる保留ステップとを実行させることを特徴とする。
【００２８】
本発明にあっては、表示部を備える情報処理装置が、画面変更手段による画面変更処理、判定手段による判定処理、及び保留手段による保留処理を実行する。このような情報処理装置は、本発明に係る情報処理方法の手順通りに作動する。また、本発明に係るコンピュータプログラムは、本発明の情報処理装置が備える各種手段を、コンピュータのハードウェア要素を用いてソフトウェア的に実現させる。
【００２９】
本発明に係る会議システムは、画像配信手段による画像配信処理、及び、範囲配信手段による情報配信処理を実行するサーバ装置と、複数台の情報処理装置とを通信可能に接続してなる。本発明の会議システムを構成する各情報処理装置は、例えば、本発明の情報処理装置を用いてなる。このような会議システムは、本発明に係る会議支援方法の手順通りに作動する。
【００３０】
情報処理装置Α，Β，Γでは、画像を示す画像データを受信した場合に、表示部が、受信した画像データに基づく画像を含む画面を表示する。ここで、情報処理装置Αが受信する画像データは、情報処理装置Βが情報処理装置Α，Γへ送信したものでもよく、サーバ装置の画像配信手段が情報処理装置Α，Β，Γへ配信したものでもよい。サーバ装置が配信する画像データは、サーバ装置の記憶部に予め記憶されていたものでもよく、会議中に、情報処理装置Α，Β，Γの何れかがサーバ装置へ送信したものでもよい。
【００３１】
情報処理装Α，Β，Γでは、受信した画像データに基づく画像の範囲を示す範囲データを受信した場合に、受信した範囲データが示す範囲の画像を含む画面が表示部に表示される。このために、画面変更手段は、受信した範囲データに基づいて、表示部に表示される画面を変更する。この結果、参加者α，β，γが閲覧する閲覧範囲が、変更前に表示されていた範囲から、変更後に表示されている範囲に変更される。
【００３２】
ここで、情報処理装置Αが受信する範囲データは、情報処理装置Βが情報処理装置Α，Γへ送信したものでもよく、サーバ装置の範囲配信手段が情報処理装置Α，Β，Γへ配信したものでもよい。サーバ装置が配信する範囲データは、例えば、会議中に、情報処理装置Α，Β，Γの何れかがサーバ装置へ送信したものである。
【００３３】
情報処理装置Α，Β，Γでは、判定手段が、所定の条件が成立しているか否かを判定する。ここでは、情報処理装置Βの判定手段が、成立していないと判定し、情報処理装置Γの判定手段が、成立していると判定したものとする。
所定の条件が成立していない情報処理装置Βでは、範囲データの受信と同時的に、表示部に表示される画面が変更される。従って、範囲データを受信した場合には、参加者βが閲覧する閲覧範囲が遅滞なく変更される。
【００３４】
一方、所定の条件が成立している情報処理装置Γでは、所定の条件が成立しなくなってから、表示部に表示される画面が変更される。何故ならば、情報処理装置Γでは、所定の条件が成立している間、保留手段が、画面変更手段による変更処理を保留するからである。従って、範囲データを受信した場合でも、参加者γが閲覧する閲覧範囲は、所定の条件が成立しなくなるまでは変更されない。
【００３５】
本発明にあっては、操作部及び表示部を備える情報処理装置が、表示変更手段による表示変更処理、送信手段による送信処理、画面変更手段による画面変更処理、判定手段による判定処理、及び保留手段による保留処理を実行する。
参加者αは、操作部を用いて、表示部に表示される画面に含まれる画像の範囲（即ち、参加者αが閲覧する閲覧範囲）を変更するための変更操作を行なう。
【００３６】
情報処理装置Αでは、操作部が変更操作を受け付けた場合に、受け付けた変更操作に応じた範囲の画像を含む画面が表示部に表示される。このために、表示変更手段は、受け付けた変更操作に応じて、表示部に表示される画面を変更する。この結果、参加者αが閲覧する閲覧範囲が、変更前に表示されていた範囲から、変更後に表示されている範囲に変更されるため、参加者αは、所望する閲覧範囲を閲覧することができる。
【００３７】
また、情報処理装置Αでは、送信手段が、表示変更手段による変更後の画面に含まれる画像の範囲を示す範囲データを送信する。範囲データは、サーバ装置へ送信されてもよく、サーバ装置を介さず直接的に情報処理装置Β，Γへ送信されてもよい。
【００３８】
情報処理装置Β，Γでは、範囲データを受信した場合に、受信した範囲データに基づいて、受信した範囲データが示す範囲の画像を含む画面が表示部に表示される。このために、情報処理装置Β，Γの画面変更手段は、受信した範囲データに基づいて、表示部に表示される画面を変更する。この結果、参加者β，γが閲覧する閲覧範囲が、変更前に表示されていた範囲から、変更後に表示されている範囲に変更されるため、参加者β，γは、参加者αが閲覧する閲覧範囲と同じ閲覧範囲を閲覧することができる。
ただし、所定の条件が成立していない情報処理装置Βでは、範囲データの受信と同時的に、表示部に表示される画面が変更される。この結果、情報処理装置Α，Β間では、画面の変更が同期する。
【００３９】
一方、所定の条件が成立している情報処理装置Γでは、所定の条件が成立しなくなってから、表示部に表示される画面が変更される。何故ならば、情報処理装置Γでは、所定の条件が成立している間、保留手段が、画面変更手段による変更処理を保留するからである。この結果、情報処理装置Α，Γ間では、画面の変更が一時的に非同期し、その後、画面の変更が同期した場合と同様の状態になる。
換言すれば、情報処理装置Γは、通常は同期モードに設定されており、所定の条件が成立している間だけ、自動的に非同期モードに切り替わる。
【００４０】
以上の結果、参加者αが情報処理装置Αにて閲覧範囲を変更しても、参加者γが閲覧範囲の固定を所望している間は、情報処理装置Γでは閲覧範囲が変更されない。その後、参加者γが閲覧範囲の変更を許可したときに、情報処理装置Γでは閲覧範囲が自動的に変更される。つまり、情報処理装置Αで参加者αが閲覧範囲を変更してから、情報処理装置Γで閲覧範囲が変更されるまでの間に、参加者γにとって有用なタイムラグを発生させることができる。
【００４１】
一方、参加者βが閲覧範囲の変更を許可している間は、参加者αが情報処理装置Αにて閲覧範囲を変更した場合に、情報処理装置Βでは閲覧範囲が同期的に変更される。つまり、情報処理装置Αで参加者αが閲覧範囲を変更してから、情報処理装置Βで閲覧範囲が変更されるまでの間に、無用なタイムラグが発生することを抑制することができる。
従って、会議の参加者全員の利便性を向上させることができる。
【００４２】
本発明にあっては、参加者βは、操作部を用いて、少なくとも情報処理装置Βの表示部に表示されている画面に含まれている画像に重ねるべき画像の画像データを生成するための画像生成操作を行なう。このとき、表示部は、生成された画像データに基づく画像を含む画面を表示する。この結果、参加者βは、少なくとも情報処理装置Βの表示部に表示されている画面に含まれている画像に、任意の画像を追加したり、追加した画像を修正又は消去したりする（以下、画像の編集という）ことができる。
【００４３】
画像の編集中は、参加者βは、閲覧範囲の固定を所望している、と看做せる。何故ならば、画像の編集中に、閲覧範囲が参加者αの都合で変更されてしまうと、画像の編集作業に支障を来たすからである。一方、画像の編集を終了した場合、及び、画像を編集していない場合には、参加者βは、閲覧範囲の変更を許可している、と看做せる。
そこで、判定手段は、操作部で画像生成操作がなされている場合に、所定の条件が成立していると判定する。この結果、参加者βが画像を編集している間は、画面変更手段による変更処理は保留される。つまり、参加者βの都合に合わせて、参加者βが閲覧する閲覧範囲を固定することができる。
【００４４】
一方、操作部で画像生成操作がなされなくなった場合、判定手段は、所定の条件が成立しなくなったと判定する。この結果、参加者βが画像の編集を終了した場合に、画面変更手段による変更処理が実行される。つまり、参加者βの都合に合わせて、参加者βが閲覧する閲覧範囲を自動的に変更することができる。
また、操作部で画像生成操作がなされていない場合、判定手段は、所定の条件が成立していないと判定する。この結果、参加者βが画像を編集していない場合には、画面変更手段による変更処理が実行される。つまり、参加者αの都合に合わせて、参加者βに不都合のないよう、参加者βが閲覧する閲覧範囲を同期的に変更することができる。
【００４５】
以上の結果、情報処理装置Βは、共有編集モードに設定されていても、個人編集モードに設定されていても、参加者βの都合に合わせて、同期モードと非同期モードとが適切に切り替えられる。つまり、参加者βが手動で同期モードと非同期モードとを切り替える必要がないため、参加者βの利便性を向上させることができる。
【００４６】
本発明にあっては、情報処理装置が、計時手段を更に備える。
参加者は、画像の編集中は、操作部を用いて画像生成操作を行なうが、画像の編集を終了した後は、画像生成操作を行なわなくなる。
このため、計時手段は、操作部が画像生成操作を最後に受け付けた時点からの経過時間を計時する。
計時手段の計時結果が所定時間未満である場合、操作部で画像生成操作がなされている（即ち、参加者が画像を編集中である）と看做せるため、判定手段は、所定の条件が成立していると判定する。
【００４７】
一方、計時手段の計時結果が所定時間以上である場合、操作部で画像生成操作がなされなくなった（即ち、参加者が画像の編集を終了した）と看做せるため、判定手段は、所定の条件が成立しなくなったと判定する。
以上の結果、情報処理装置は、参加者が画像の編集を終了したタイミングを、簡易な手法で正確に計ることができ、画像の編集が終了したタイミングで、参加者が閲覧する閲覧範囲を自動的に変更することができる。
【００４８】
本発明にあっては、参加者は、画像の編集を開始する場合に、操作部を用いて、操作部に画像生成操作の受け付けを開始させる操作（例えば情報処理装置を画像編集モードに設定する操作。以下、編集開始操作という）を行なう。また、参加者は、画像の編集を終了する場合に、操作部を用いて、操作部に画像生成操作の受け付けを終了させる操作（この場合、画像編集モードの設定を解除する操作。以下、編集終了操作という）を行なう。
【００４９】
操作部が編集開始操作を受け付けた場合、又は、操作部が編集開始操作を受け付けた後で画像生成操作を受け付けた場合には、参加者が画像を編集中であると看做せるため、判定手段は、所定の条件が成立していると判定する。
一方、操作部が編集終了操作を受け付けた場合には、参加者が画像の編集を終了したと看做せるため、判定手段は、所定の条件が成立しなくなったと判定する。
以上の結果、情報処理装置は、参加者が画像の編集を終了したタイミングを、簡易な手法で正確に計ることができ、画像の編集が終了したタイミングで、参加者が閲覧する閲覧範囲を自動的に変更することができる。
【００５０】
本発明にあっては、情報処理装置の操作部が、参加者が押圧操作すべき押圧操作部を有する。
画像の編集中ではなくとも、参加者βが閲覧範囲の固定を所望していることはある。しかしながら、参加者βが閲覧範囲の固定を所望しているのか変更を許可しているのかを、情報処理装置Βが自主的に判断することはできない。そこで、参加者βは、閲覧範囲の固定を所望している間は、操作部の押圧操作部を押圧操作し続ける。その後、閲覧範囲の変更を許可するときに、参加者βは、押圧操作部の押圧操作を終了する。また、閲覧範囲の固定を所望していない（即ち閲覧範囲の変更を許可している）場合には、押圧操作部を押圧操作しない。
【００５１】
押圧操作部が押圧操作され始めてから押圧操作され終わるまでの間は、参加者βが閲覧範囲の固定を所望していると看做せるため、判定手段は、所定の条件が成立していると判定する。この結果、画面変更手段による変更処理は保留される。つまり、参加者αが閲覧範囲を変更した場合でも、参加者βの都合に合わせて、参加者βが閲覧する閲覧範囲を固定することができる。
一方、押圧操作部の押圧操作が終了した場合、参加者βが閲覧範囲の変更を許可したと看做せるため、判定手段は、所定の条件が成立しなくなったと判定する。この結果、画面変更手段による変更処理が実行される。つまり、参加者βの都合に合わせて、参加者βが閲覧する閲覧範囲を自動的に変更することができる。
【００５２】
また、押圧操作部が押圧操作されていない場合、参加者βが閲覧範囲の変更を許可していると看做せるため、判定手段は、所定の条件が成立していないと判定する。この結果、画面変更手段による変更処理が実行される。つまり、参加者αの都合に合わせて、参加者βに不都合のないよう、参加者βが閲覧する閲覧範囲を同期的に変更することができる。
【００５３】
本発明にあっては、情報処理装置Αで画像が編集された場合に、所定の条件が成立しているか否かに拘らず、情報処理装置Αにおける画像の編集結果が、情報処理装置Β，Γにも同期的に反映される。
このために、情報処理装置Αでは、操作部が画像生成操作を受け付けた場合に、自身の表示部に表示されている画面に含まれている画像に重ねるべき画像の画像データ（以下、編集画像データという）を生成する。その後、情報処理装置Αは、生成された編集画像データを、サーバ装置を介さず直接的に情報処理装置Β，Γへ送信するか、又は一旦サーバ装置へ送信することによって情報処理装置Β，Γへ送信する。
【００５４】
情報処理装置Β，Γでは、編集画像データを受信した場合、保留手段による保留処理が実行されているか否かに拘らず、表示部が、受信した画像データに基づく画像を含む画面を表示する。
つまり、本発明の情報処理装置Β，Γでは、同期モードに設定されている場合であっても、所定の条件が成立していることによって一時的に非同期モードに切り替わっている場合であっても、参加者β，γが閲覧している画像と同じ画像に対して参加者αが行なった編集の結果を、参加者β，γが閲覧することができる。
【００５５】
つまり、閲覧範囲の変更を許可している参加者βも、閲覧範囲の固定を所望している参加者γも、参加者β，γが閲覧している画像に対して参加者αが画像の編集を行なった場合には、閲覧している画像上で、編集結果を閲覧することができる。つまり、参加者β，γの利便性を向上させることができる。
【００５６】
一方、従来の情報処理装置では、例えば特許文献２に記載されているように、一時的に非同期モードに切り替わっている間は、参加者β，γが閲覧している画像と同じ画像に対して参加者αが行なった編集の結果を、参加者β，γが閲覧することはできない。このため、参加者αが行なった編集の結果を、参加者β，γが閲覧するためには、情報処理装置を必ず同期モードにしておかなければならない。ところが、この場合には、参加者β，γの閲覧範囲を固定することができない。従って、参加者β，γの利便性が悪化する。
【発明の効果】
【００５７】
本発明の情報処理装置、会議システム、情報処理方法、会議支援方法、及びコンピュータプログラムによる場合、表示部に表示される画面を、受信した範囲データに基づいて自動的に変更するときに、所定の条件が成立している間は変更処理が保留され、所定の条件が成立しなくなったときには変更処理が実行される。一方、所定の条件が成立していないときには、変更処理が、保留されることなく実行される。
【００５８】
このため、参加者が閲覧範囲の固定を所望している間は、参加者が閲覧する閲覧範囲が勝手に変更されないようにすることができる。その後、参加者が閲覧範囲の変更を許可したときに、参加者の閲覧範囲が自動的に変更されるようにすることができる。
一方、参加者が閲覧範囲の変更を許可している間は、参加者の閲覧範囲が遅滞なく変更されるようにすることができる。
【図面の簡単な説明】
【００５９】
【図１】本発明の実施の形態に係る会議システムの構成を模式的に示す斜視図である。
【図２】本発明の実施の形態に係る会議システムが備える情報処理装置としての端末装置の要部構成を示すブロック図である。
【図３】本発明の実施の形態に係る会議システムが備えるサーバ装置としての中央装置の要部構成を示すブロック図である。
【図４】本発明の実施の形態に係る端末装置のディスプレイに表示されるメイン画面の一例を示す模式図である。
【図５】本発明の実施の形態に係る会議システムにおいて端末装置間で画像が共有される仕組みを模式的に示す説明図（中央装置側）である。
【図６】本発明の実施の形態に係る会議システムにおいて端末装置間で画像が共有される仕組みを模式的に示す説明図（端末装置側）である。
【図７】本発明の実施の形態に係る端末装置Ａで実行される編集画像生成処理の手順を示すフローチャートである。
【図８】本発明の実施の形態に係る端末装置Ａで実行される編集画像生成処理の手順を示すフローチャートである。
【図９】本発明の実施の形態に係る端末装置Ａで実行される閲覧固定処理の手順を示すフローチャートである。
【図１０】本発明の実施の形態に係る会議システムで実行される第１〜第３の画面変更処理の手順を示すフローチャートである。
【図１１】本発明の実施の形態に係る端末装置Ｂで実行される第１の画面変更処理の手順を示すフローチャートである。
【図１２】本発明の実施の形態に係る中央装置で実行される第２の画面変更処理の手順を示すフローチャートである。
【図１３】本発明の実施の形態に係る端末装置Ａで実行される第３の画面変更処理の手順を示すフローチャートである。
【図１４】本発明の実施の形態に係る会議システムで実行される画面同期処理手順のサブルーチンを示すフローチャートである。
【図１５】本発明の実施の形態に係る会議システムで実行される編集画像共有処理の手順を示すフローチャートである。
【図１６】本発明の実施の形態に係る端末装置Ｂで表示される文書表示画面の内容の変化の一例を示す模式図である。
【図１７】本発明の実施の形態に係る端末装置Ｃで表示される文書表示画面の内容の変化の一例を示す模式図である。
【図１８】本発明の実施の形態に係る端末装置Ａで表示される文書表示画面の内容の変化の一例を示す模式図である。
【図１９】本発明の実施の形態に係る端末装置Ｂで表示される文書表示画面の内容の変化の他の一例を示す模式図である。
【図２０】本発明の実施の形態に係る端末装置Ｃで表示される文書表示画面の内容の変化の他の一例を示す模式図である。
【図２１】本発明の実施の形態に係る端末装置Ａで表示される文書表示画面の内容の変化の他の一例を示す模式図である。
【発明を実施するための形態】
【００６０】
以下、本発明を、その実施の形態を示す図面に基づいて詳述する。
【００６１】
図１は、本発明の実施の形態に係る会議システム６の構成を模式的に示す斜視図である。
本実施の形態における会議システム６は、複数人の参加者による会議の実現を支援すべく、会議に必要な情報を複数台の端末装置１，１，…間で共有させる。このために、会議システム６は、参加者が使用する端末装置１を人数分備え、更に、１台の中央装置３と、ネットワーク５とを備えている。
【００６２】
会議に必要な情報としては、例えば、参加者の発言の音声、参加者が映っている動画像、及び、会議に供される資料（以下、会議用文書という）の静止画像等が挙げられる。以下では、動画像を映像といい、静止画像を単に画像という。
ネットワーク５は、会議が行なわれる会社組織の社内ＬＡＮ、及び／又はインターネットのような公衆通信網等を用いてなる。
【００６３】
各端末装置１と中央装置３とは、ネットワーク５を介して、通信可能に接続される。このために、各端末装置１は、中央装置３との接続の認証を受け、認証された端末装置１と中央装置３との間で、共有すべき音声、映像、及び画像が授受される。例えば、音声を出力するための音声データが、中央装置３から、認証された端末装置１，１，…へ配信され、音声データを受信した各端末装置１は、受信した音声データに基づいて、後述するスピーカ２８から音声を出力する。この結果、同一の音声が、認証された端末装置１，１，…夫々のスピーカ２８から出力される。即ち、同一の音声が端末装置１，１，…間で共有される。
以下では、特に区別しない限り、認証された端末装置１を単に端末装置１という。
【００６４】
図２は、端末装置１の要部構成を示すブロック図である。
端末装置１は、パーソナルコンピュータを用いてなり、バス又は信号線によって相互に接続されている制御部１１、ＨＤＤ（ハードディスク）１２、入力処理部１３、表示処理部１４、通信処理部１５、映像処理部１６、入力音声処理部１７、出力音声処理部１８、及び外部記憶部１９を備える。
更に、端末装置１は、内蔵又は外部接続により、タブレット２１、マウス２２、キーボード２３、ディスプレイ２４、Ｉ／Ｆ部２５、カメラ２６、マイク２７、及びスピーカ２８を備える。
【００６５】
制御部１１は、主記憶部であるＲＯＭと、ＲＯＭに記憶されているコンピュータプログラムに従って各種処理を実行するＣＰＵと、ＣＰＵが作業領域として用いるＲＡＭとを備え、端末装置１の制御中枢として機能する。
【００６６】
ＨＤＤ１２は補助記憶部である。ＨＤＤ１２には、本発明の実施の形態に係るコンピュータプログラムとして機能する端末装置１用のコンピュータプログラム（以下、端末プログラムという）９Ｐが記憶されている。なお、ＨＤＤ１２には端末プログラム９Ｐ以外のコンピュータプログラムも記憶されていてよい。
制御部１１が、ＨＤＤ１２に記憶されている端末プログラム９Ｐに従って装置各部を制御することによって、端末装置１は、本発明の実施の形態における情報処理装置として機能する。
【００６７】
入力処理部１３には、入力用ユーザインタフェースとして、タブレット２１、マウス２２、及びキーボード２３が接続されている。タブレット２１は、ペン２０を用いて操作される。
タブレット２１、マウス２２、及びキーボード２３夫々は、制御部１１に制御されることによって、本発明の実施の形態における操作部として機能する。また、タブレット２１は、ペン２０によって押圧操作されることによって、本発明の実施の形態における押圧操作部としても機能する。更に、マウス２２の操作ボタン２２１，２２１及びキーボード２３に配列されている操作キー２３１，２３１，…は、夫々が、本発明の実施の形態における押圧操作部として機能する。
【００６８】
以下では、タブレット２１、マウス２２、及びキーボード２３を区別しない場合には、操作部２１〜２３という。
入力処理部１３は、参加者による操作部２１〜２３の操作内容を示す操作データを制御部１１へ出力する。操作データは、例えばマウス２２の操作ボタン２２１が押圧操作されたことを示す押圧操作信号、及び、表示部２４に表示されている画面中の位置を示す座標データ等である。
【００６９】
表示処理部１４には、出力用ユーザインタフェースとして、ディスプレイ２４が接続されている。ディスプレイ２４は、液晶ディスプレイを用いてなり、制御部１１に制御されることによって、本発明の実施の形態における表示部として機能する。
制御部１１は、表示処理部１４を介して、ディスプレイ２４に、後述する文書表示画面４１（図４参照）を表示させる。文書表示画面４１内には、端末装置１，１，…間で共有すべき画像が含まれる。つまり、複数台の端末装置１，１，…が備えるディスプレイ２４において、互いに共通の画像が含まれている文書表示画面４１が表示される。
【００７０】
通信処理部１５は、ネットワークカードを用いてなり、通信処理部１５には、端末装置１とネットワーク５とのインタフェースであるＩ／Ｆ部２５が接続されている。通信処理部１５は、ネットワーク５を介して送受信されるデジタルデータのパケット化及びパケットからのデジタルデータの読み取り等を行なう。通信処理部１５が、画像データ及び音声データ等を送受信するために用いる通信プロトコルは、例えばＨ．３２３、ＳＩＰ（Session Initiation Protocol ）、又はＨＴＴＰ（Hypertext Transfer Protocol ）等であるが、これらに限定されるものではない。
制御部１１は、通信処理部１５を用いて、中央装置３との間で各種データを送受信する。
【００７１】
映像処理部１６には、カメラ２６が接続されている。カメラ２６は、端末装置１を使用している参加者を撮像することによって、参加者の映像を映像処理部１６に与える。映像処理部１６はエンコーダを含んでおり、カメラ２６から与えられた映像を、Ｈ．２６４又はＭＰＥＧ等の映像規格の映像データへ変換して出力する。
制御部１１は、映像処理部１６から出力された映像データを、中央装置３へ送信する。一の端末装置１から中央装置３へ送信された映像データは、中央装置３から他の端末装置１，１，…へ配信される。
【００７２】
映像データを受信した端末装置１は、受信した映像データに基づく映像を、ディスプレイ２４の所定の表示領域（例えば後述するメイン画面が表示される表示領域の近傍）に表示させる。
【００７３】
入力音声処理部１７には、マイク２７が接続されている。マイク２７は、端末装置１を使用している参加者の発言を集音することによって、アナログの音声を入力音声処理部１７に与える。入力音声処理部１７はＡ／Ｄ変換機能を有しており、与えられた音声をサンプリングすることによって、デジタルの音声データへ変換して出力する。なお、入力音声処理部１７は、エコーキャンセラを内蔵していてもよい。
制御部１１は、入力音声処理部１７から出力された音声データを、中央装置３へ送信する。一の端末装置１から中央装置３へ送信された音声データは、中央装置３から他の端末装置１，１，…へ配信される。
【００７４】
音声データを受信した端末装置１は、受信した音声データを、出力音声処理部１８に入力する。
出力音声処理部１８には、スピーカ２８が接続されている。出力音声処理部１８はＤ／Ａ変換機能を有しており、自身に入力されたデジタルの音声データを、アナログの音声へ変換してからスピーカ２８に与える。このとき、スピーカ２８から音声が出力される。
【００７５】
外部記憶部１９は、制御部１１に制御されることによって、可搬性を有する記録媒体９から、記録媒体９に記録されている端末プログラム９Ｐを読み込む。読み込まれた端末プログラム９Ｐは、ＨＤＤ１２に書き込まれる。
記録媒体９としては、例えばＣＤ−ＲＯＭ、ＤＶＤ、ブルーレイディスク、又はフレキシブルディスク等が用いられる。
本実施の形態においては、端末プログラム９Ｐは、記録媒体９に記録された状態で配布される構成であるが、このような構成に限定されるものではない。例えば、端末プログラム９Ｐは、ネットワーク５を介して配信される構成でもよく、制御部１１が有するＲＯＭに予め記憶してある構成でもよい。
【００７６】
また、本実施の形態においては、端末プログラム９Ｐは、端末装置１にインストールされてから実行される構成であるが、このような構成に限定されず、記録媒体９又は配信元から読み取られて直接的に実行される構成でもよい。
以下では、複数台の端末装置１，１，…を区別する場合に、便宜的に端末装置Ａ１，Ｂ１，Ｃ１，…といい、端末装置Ａ１，Ｂ１，Ｃ１，…を使用する参加者を、参加者ａ，ｂ，ｃ，…という。ここで、参加者ｂは、会議用文書の内容を解説する立場にあり、参加者ａ，ｃ，…は、参加者ｂの解説を聞く立場にあるものとする。以下では、会議用文書の内容を解説する参加者を、解説者ともいう。
【００７７】
図３は、中央装置３の要部構成を示すブロック図である。
中央装置３は、サーバコンピュータを用いてなり、バス又は信号線によって相互に接続されている制御部３１、ＨＤＤ３２、画像処理部３３、及び通信処理部３４を備える。更に、中央装置３は、Ｉ／Ｆ部３５を内蔵している。
制御部３１は、主記憶部であるＲＯＭと、ＲＯＭに記憶されているコンピュータプログラムに従って各種処理を実行するＣＰＵと、ＣＰＵが作業領域として用いるＲＡＭとを備え、中央装置３の制御中枢として機能する。
【００７８】
ＨＤＤ３２は補助記憶部である。
ＨＤＤ３２には、中央装置３用のコンピュータプログラム（以下、中央プログラムという）３Ｐが記憶されている。制御部３１が、ＨＤＤ３２に記憶されている中央プログラム３Ｐに従って装置各部を制御することによって、中央装置３は、本発明の実施の形態におけるサーバ装置として機能する。
また、ＨＤＤ３２には、図示はしないが、端末装置１，１，…の認証を行なうためのユーザデータが記憶されている。
【００７９】
更に、ＨＤＤ３２には、文書データ３Ｄ，３Ｄ，…が記憶されている。各文書データ３Ｄは、会議用文書の内容を表わすものである。文書データ３Ｄとしては、テキストデータ、写真データ、又は図形データ等が用いられる。
ＨＤＤ３２の記憶領域の一部は、会議の進行状況に関するデータを記憶する会議進行部３０として用いられる。なお、会議進行部３０は、中央装置３が備えるＲＡＭに設けられていてもよい。又は、ＲＡＭ及びＨＤＤ３２夫々の記憶領域の一部を用いて、会議進行部３０を実現してもよい。この場合、ＲＡＭに記憶されたデータが、適宜のタイミングでＨＤＤ３２に保存される。
【００８０】
画像処理部３３には、ＨＤＤ３２から読み出された文書データ３Ｄが入力される。画像処理部３３は、入力された文書データ３Ｄを頁毎に画像データ（イメージデータ）へ変換する（後述する図５参照）。以下では、文書データ３Ｄが変換されてなる画像データの内、会議用文書の１頁目、２頁目、３頁目、…に対応するものを、文書画像データ３１ｄ，３２ｄ，３３ｄ，…という。
【００８１】
通信処理部３４は、ネットワークカードを用いてなり、通信処理部３４には、中央装置３とネットワーク５とのインタフェースであるＩ／Ｆ部３５が接続されている。通信処理部３４は、ネットワーク５を介して送受信されるデジタルデータのパケット化及びパケットからのデジタルデータの読み取り等を行なう。通信処理部３４が、画像データ及び音声データ等を送受信するために用いる通信プロトコルは、例えばＨ．３２３、ＳＩＰ、又はＨＴＴＰ等であるが、これらに限定されるものではない。
制御部３１は、通信処理部３４を用いて、端末装置１，１，…との間で各種データを送受信する。
【００８２】
なお、端末装置１（又は中央装置３）は、ＨＤＤ１２（又はＨＤＤ３２）を用いてなる補助記憶部に替えて、ＳＳＤのようなフラッシュメモリを用いてなる補助記憶部を備える構成でもよい。
【００８３】
以上のように構成された会議システム６は、いわゆるテレビ会議システムであり、会議システム６を用いることによって、参加者は、リアルタイムで電子会議を行なうことができる。
このために、各参加者は、端末装置１を１台ずつ使用し、操作部２１〜２３を操作することによって、端末プログラム９Ｐに基づく会議用アプリケーションソフトウェア（以下、会議用アプリという）を起動させる。
会議用アプリが起動した場合、参加者がユーザＩＤ及びパスワード等のユーザ情報を入力するための認証画面がディスプレイ２４に表示される。参加者は、ディスプレイ２４に表示された認証画面を視認しながら、操作部２１〜２３を操作することによって、認証画面にユーザ情報を入力する。
【００８４】
入力処理部１３は、認証画面に入力されたユーザ情報を示すユーザデータを制御部１１へ出力する。制御部１１は、入力されたユーザデータを中央装置３へ送信する。このとき、ユーザデータに関連付けて、端末装置１に割り振られているＩＰアドレスも、中央装置３へ送信される。
中央装置３は、ユーザデータ及びＩＰアドレスを受信する。
制御部３１は、受信したユーザデータとＨＤＤ３２に記憶されているユーザデータとを比較することによって、ログインを許可するか否かを判定する。次いで、制御部３１は、判定結果に応じた認証結果データを、受信したＩＰアドレスによって識別される端末装置１へ送信する。
【００８５】
ログインを許可する場合、制御部３１は、個々の端末装置１，１，…を識別するための端末識別データを発行する。ログインの許可を示す認証結果データには、端末識別データが含まれている。以後、制御部３１は、端末識別データを用いて、個々の端末装置１，１，…を識別する。
【００８６】
ログインの許可を示す認証結果データを受信した端末装置１（即ち認証された端末装置１）では、ディスプレイ２４に、会議用アプリのメイン画面が表示される。以後、参加者は、端末装置１を会議システム６の会議用端末装置として使用することができる。また、端末装置１は、所要のデータを中央装置３へ送信する場合に、認証結果データに含まれていた端末識別データも、同時的に中央装置３へ送信する。
一方、ログインの却下を示す認証結果データを受信した端末装置１（即ち認証されなかった端末装置１）では、ディスプレイ２４に、エラーメッセージを含む画面が表示される。この場合、参加者は、端末装置１を会議システム６の会議用端末装置として使用することができない。
【００８７】
次に、メイン画面の詳細を説明する。
図４は、端末装置Ａ１のディスプレイ２４に表示されるメイン画面４の一例を示す模式図である。
図４に示すメイン画面４は、会議中に参加者ａが主として視認する画面である。メイン画面４には、文書表示画面４１、頁送りボタン４２１，４２２、及びツールボタン４４１〜４４８が配されている。
具体的には、文書表示画面４１は、メイン画面４の中央部に配されている。
文書表示画面４１には、文書画像４５１、及び編集画像４６Ａ，４６Ｂが含まれている。
【００８８】
文書画像４５１は、図５に示す文書画像データ３１ｄに基づく画像であり、更に詳細には、文書データ３Ｄによって表わされる会議用文書の１頁目に記載されている文字「イロハ」を示す画像である。
同様に、後述する図１６（ｂ）に示されている文書画像４５２は、文書画像データ３２ｄに基づく画像であり、更に詳細には、文書データ３Ｄによって表わされる会議用文書の２頁目に記載されている文字「ニホヘ」を示す画像である。
文書画像データ３３ｄに基づく画像は、文書データ３Ｄによって表わされる会議用文書の３頁目に記載されている文字「トチリ」を示す画像である。
【００８９】
図４に示す例では、文書画像４５１が縮小されることによって、文書画像４５１が全部、文書表示画面４１に含まれている。この場合、閲覧範囲は、会議用文書の１頁目全体である。
一方、後述する図１９（ｂ）に示すように、文書画像４５１が拡大されることによって、会議用文書の１頁目に記載されている文字「イ」のみが文書表示画面４１に含まれている場合、閲覧範囲は、会議用文書の１頁目の一部分である。
【００９０】
編集画像４６Ａは、参加者ａが、個人編集モードに設定されている端末装置Ａ１の操作部２１〜２３を操作することによって文書画像４５１に追加した画像である。即ち、編集画像４６Ａは、参加者ａによる個人的なメモ書きである。
一方、編集画像４６Ｂは、参加者ｂが、共有編集モードに設定されている端末装置Ｂ１の操作部２１〜２３を操作することによって文書画像４５１に追加した画像である。即ち、編集画像４６Ｂは、端末装置Ａ１，Ｂ１，Ｃ１，…間で共有される書き込みである。
【００９１】
図４に示す例では、編集画像４６Ｂは、文書画像４５１中の文字「ロ」を指し示す白抜矢符であり、この白抜矢符は、文字「ロ」の手前側に重ねて配されている。一方、編集画像４６Ａは、文書画像４５１中の文字「ロ」に対して書き加えられた×印であり、この×印は、文字「ロ」及び編集画像４６Ｂの手前側に重ねて配されている。文書画像４５１が拡大／縮小された場合には、編集画像４６Ａ，４６Ｂも拡大／縮小される。
【００９２】
このように、端末装置Ａ１の文書表示画面４１では、会議用文書、及び参加者ａが共有編集モード又は個人編集モードで編集した画像を閲覧することができ、のみならず、参加者ａ以外の参加者ｂ，ｃ，…夫々が共有編集モードで編集した画像をも閲覧することができる。
ところで、メイン画面４には、参加者ａが操作部２１〜２３を操作することによって、任意の位置に移動させることができ、更に、メイン画面４に配されている各種ボタンを仮想的に押圧操作することができる図示しないポインタが配されている。以下では、ポインタによる仮想的な押圧操作も、単に押圧操作という。
【００９３】
頁送りボタン４２１，４２２は、文書表示画面４１において、文書画像４５１に付随するように配されている。頁送りボタン４２１は前頁へ頁送りするためのものであり、頁送りボタン４２２は後頁へ頁送りするためのものである。参加者ａは、頁送りを所望した場合に、操作部２１〜２３を操作することによって、頁送りボタン４２１，４２２の何れかを押圧操作する。例えば、キーボード２３の操作キー２３１，２３１，…の内、左方向キー（又は右方向キー）である操作キー２３１の押圧操作に連動して、頁送りボタン４２１（又は頁送りボタン４２２）が押圧操作される。
【００９４】
文書画像４５１を閲覧していた参加者ａが、頁送りボタン４２２を押圧操作した場合、文書表示画面４１は、１頁目の文書画像４５１が含まれるものから２頁目の文書画像４５２が含まれるものに切り替わる。この結果、参加者ａが閲覧する閲覧範囲は、会議用文書の１頁目から２頁目に変更される。この後、更に参加者ａが、頁送りボタン４２２を押圧操作した場合、文書表示画面４１は、２頁目の文書画像４５２が含まれるものから３頁目の文書画像が含まれるものに切り替わる。
【００９５】
文書画像４５２を閲覧していた参加者ａが、頁送りボタン４２１を押圧操作した場合、文書表示画面４１は、２頁目の文書画像４５２が含まれるものから１頁目の文書画像４５１が含まれるものに切り替わる。この結果、参加者ａが閲覧する閲覧範囲は、会議用文書の２頁目から１頁目に変更される。
このように、頁送りボタン４２１，４２２の押圧操作は、文書表示画面４１に含まれる画像の範囲を変更するための変更操作、延いては、ディスプレイ２４に表示される文書表示画面４１を変更するための変更操作として機能する。
図４以外の図面では、文書表示画面４１に含まれている頁送りボタン４２１，４２２の図示は省略されている。
【００９６】
ツールボタン４４１〜４４８は、メイン画面４における文書表示画面４１の右側方に配されている。ここで、ツールボタン４４１〜４４８とは、線画追加ボタン４４１、画像書式ボタン４４２、画像消去ボタン４４３、図形追加ボタン４４４、画像選択ボタン４４５、ズームボタン４４６、解説者交替ボタン４４７、及び編集モード切替ボタン４４８等の総称である。
線画追加ボタン４４１は、後述する線画追加モードをオン／オフするためのものであり、線画追加ボタン４４１を押圧操作する都度、線画追加モードのオン／オフが切り替わる。
【００９７】
同様に、画像書式ボタン４４２は画像書式モードに対応し、画像消去ボタン４４３は画像消去モードに対応し、図形追加ボタン４４４は図形追加モードに対応し、画像選択ボタン４４５は画像選択モードに対応し、ズームボタン４４６は拡大縮小モードに対応する。
線画追加モード、画像書式モード、画像消去モード、図形追加モード、画像選択モード、及び拡大縮小モードは互いに排他的であり、一のモードがオンにされた場合には、他のモードは自動的にオフになる。
【００９８】
線画追加モードがオンにされている場合、参加者ａは、操作部２１〜２３を操作することによって、文書表示画面４１に含まれている文書画像に、編集画像としての線画（例えば手書き文字）を追加する。具体的には、参加者ａは、図示しないポインタが文書表示画面４１の手前側に配されている状態で、例えばマウス２２の操作ボタン２２１を押圧操作しながらマウス２２を移動させる。このとき、マウス２２の移動方向及び移動距離に応じてポインタが移動し、移動したポインタの軌跡の通りに、文書表示画面４１内に線画が描画される。
【００９９】
図形追加モードがオンにされている場合、参加者ａは、操作部２１〜２３を操作することによって、文書表示画面４１に含まれている文書画像に、編集画像としての図形（例えば予め用意されているテンプレートの図形群から参加者ａが選択した多角形）を追加する。
【０１００】
画像書式モードがオンにされている場合、参加者ａは、操作部２１〜２３を操作することによって、これから追加する編集画像の色、及び線の太さ等の書式を設定するか、又は、既に追加されている編集画像の書式を変更する。
画像消去モードがオンにされている場合、参加者ａは、操作部２１〜２３を操作することによって、文書表示画面４１に含まれている編集画像を部分的又は全体的に消去する。
【０１０１】
編集画像は、オブジェクト単位で区別される。このため、画像選択モードがオンにされている場合、参加者ａは、操作部２１〜２３を操作することによって、文書表示画面４１に含まれている編集画像を、オブジェクト単位で選択する。選択された編集画像は、例えば、オブジェクト単位でコピー、移動、又は削除される。
【０１０２】
線画追加モード、画像書式モード、画像消去モード、図形追加モード、及び画像選択モードを、以下では画像編集モードと総称する。画像編集モードがオンの場合、参加者ａが文書表示画面４１において編集画像を編集するための操作部２１〜２３の操作は、本発明の実施の形態においては、画面に含まれている画像に重ねるべき画像の画像データを生成するための画像生成操作として機能する。
また、画像編集モードの何れかをオンにする操作は、本発明の実施の形態においては、画像生成操作の受け付けを開始する操作（即ち編集開始操作）として機能する。
【０１０３】
更に、画像編集モードの全てをオフにする操作は、本発明の実施の形態においては、画像生成操作の受け付けを終了する操作（即ち編集終了操作）として機能する。例えば、線画追加モードがオンになっている場合には、線画追加ボタン４４１の押圧操作と、ズームボタン４４６の押圧操作とが、編集終了操作に相当する。
【０１０４】
一方、拡大縮小モードがオンにされている場合、参加者ａは、操作部２１〜２３を操作することによって、文書表示画面４１に含まれている文書画像を拡大又は縮小する。拡大縮小モードがオンの場合、参加者ａによる操作部２１〜２３の操作は、本発明の実施の形態においては、変更操作として機能する。例えば、キーボード２３の操作キー２３１，２３１，…の内、上方向キー（又は下方向キー）である操作キー２３１の押圧操作に連動して、文書画像が拡大（又は縮小）される。
【０１０５】
ところで、変更操作には、前述した頁送りのための操作及び文書画像の拡大／縮小のための操作の他に、画像のスクロールのための操作、及び一の会議用文書を他の会議用文書に切り替えるための操作等が存在するが、本実施の形態では、変更操作として、頁送りのための操作及び文書画像の拡大／縮小のための操作のみを例示する。従って、本実施の形態における画面の変更の同期（延いては、閲覧範囲の変更の同期）とは、頁送りの同期及び文書画像の拡大／縮小の同期を意味する。
【０１０６】
解説者交替ボタン４４７は、解説者が交替するときに押圧操作すべきボタンである。
解説者（本実施の形態では、参加者ｂ）は、会議用文書を解説する際に、解説者交替ボタン４４７をオンにする。この場合、端末装置Ｂから中央装置３へ、端末装置Ｂの端末識別データと共に、端末装置Ｂの使用者が解説者であることを示すデータが送信される。
この後、中央装置３から端末装置Ａ，Ｃ，…へ、端末装置Ａ，Ｃ，…の使用者は解説者にはなれないことを示すデータが送信される。
【０１０７】
このとき、解説者以外の参加者（この場合、参加者ａ，ｃ，…）が使用している端末装置Ａ，Ｃ，…では、解説者交替ボタン４４７が押圧操作を受け付けなくなる（例えば、解説者交替ボタン４４７がグレーアウトされる）。従って、参加者ａ，ｃ，…は、解説者交替ボタン４４７をオンにすることができない。
【０１０８】
会議用文書の解説を終えた参加者ｂは、解説者交替ボタン４４７をオフにする。この場合、端末装置Ｂから中央装置３へ、端末装置Ｂの端末識別データと共に、端末装置Ｂの使用者が解説者ではないことを示すデータが送信される。
この後、中央装置３から端末装置Ａ，Ｃ，…へ、端末装置Ａ，Ｃ，…の使用者が解説者になれることを示すデータが送信される。
このとき、端末装置Ａ，Ｃ，…では、解説者交替ボタン４４７が押圧操作を受け付けるようになる。従って、例えば参加者ａが解説者交替ボタン４４７をオンにすることによって、解説者が、参加者ｂから参加者ａに交替する。
編集モード切替ボタン４４８は、共有編集モードと個人編集モードとを切り替えるためのものである。
【０１０９】
ところで、端末装置Ｂ１で変更操作がなされることによって、１頁目の文書画像４５１から２頁目の文書画像４５２へ頁送りされた場合には、端末装置Ａ１でも、原則として、文書画像４５１から文書画像４５２へ同期的に頁送りされる。ただし、後述する所定の条件が成立しているときには、文書画像４５１から文書画像４５２への頁送りが保留される。同様に、端末装置Ｂ１で変更操作がなされることによって、文書画像４５１が拡大（又は縮小）された場合には、端末装置Ａ１でも、原則として、文書画像４５１が同期的に拡大（又は縮小）される。ただし、所定の条件が成立しているときには、文書画像４５１の拡大（又は縮小）が保留される。
【０１１０】
以下では、文書表示画面４１の変更を保留すべき所定の条件を、変更保留条件という。
つまり、端末装置Ｂ１における変更操作の操作結果は、変更保留条件が成立していないときにはリアルタイムで端末装置Ａ１にも反映されるが、変更保留条件が成立しているときには、変更保留条件が成立しなくなった後で、端末装置Ａ１に反映される。
【０１１１】
図５及び図６は、端末装置１，１，…間で画像が共有される仕組みを模式的に示す説明図であり、図５には中央装置３側の説明図が示され、図６には端末装置Ａ１，Ｂ１側の説明図が示されている。
まず、会議進行部３０に記憶される各種データについて説明する。
会議進行部３０には、各端末装置１に関連付けて、編集画像データ、画像識別データ、及び範囲データが記憶される。また、会議進行部３０には、図示はしないが、解説者が使用する特定の端末装置１の端末識別データが記憶されている。この端末識別データを有する端末装置１は、本実施の形態では、会議用文書の内容を解説する参加者ｂが使用する端末装置Ｂ１である。
【０１１２】
以下では、端末装置Ｂ１に関連付けられている編集画像データ３０１Ｂ、画像識別データ３０２Ｂ、及び範囲データ３０３Ｂを例示するが、他の端末装置１に関連付けられている編集画像データ、画像識別データ、及び範囲データ（例えば、端末装置Ａ１に関連付けられている編集画像データ３０１Ａ、画像識別データ３０２Ａ、及び範囲データ３０３Ａ）も同様のものである。
【０１１３】
共有編集モードに設定されている端末装置Ｂ１において、画像生成操作がなされることによって編集画像４６Ｂが編集される都度、編集画像４６Ｂの編集画像データ３０１Ｂが生成される。編集画像データ３０１Ｂには、編集画像４６Ｂの書式及び描画位置等を示すデータが含まれている。
端末装置Ｂ１では、生成された編集画像データ３０１Ｂに基づいて、後述する描画レイヤ７Ｂに、編集画像データ３０１Ｂが描画される。
【０１１４】
また、端末装置Ｂ１では、生成された編集画像データ３０１Ｂが、文書画像４５１を識別する画像識別データ３０２Ｂに関連付けて、中央装置３へ送信される。仮に、画像識別データ３０２Ｂが存在しない場合、画像識別データ３０２Ｂを受信した他の端末装置１で、編集画像４６Ｂと文書画像４５１以外の文書画像とを重ねてしまう不都合が生じ得る。
ここで、画像識別データ３０２Ｂとしては、文書画像４５１に係る文書データ３Ｄのファイル名と、文書画像４５１の頁番号とが用いられる。なお、画像識別データは、各文書画像を識別するためのものであれば、ファイル名及び頁番号の組み合わせに限定されず、例えば、中央装置３の制御部３１が予め適宜に発行した通し番号でもよい。
【０１１５】
編集画像データ３０１Ｂ及び画像識別データ３０２Ｂを受信した中央装置３では、編集画像データ３０１Ｂ及び画像識別データ３０２Ｂが、端末装置Ｂ１を識別する図示しない端末識別データに関連付けて、会議進行部３０に記憶される。
【０１１６】
会議進行部３０に記憶された編集画像データ３０１Ｂ及び画像識別データ３０２Ｂは、端末装置Ｂ１を識別する端末識別データと共に、端末装置Ａ１，Ｃ１，…へ、即座に配信される。
同様に、中央装置３が、編集画像データ３０１Ａ及び画像識別データ３０２Ａを、端末装置Ａ１を識別する端末識別データと共に受信した場合には、会議進行部３０に記憶された編集画像データ３０１Ａ及び画像識別データ３０２Ａが、端末装置Ａ１を識別する端末識別データと共に、端末装置Ｂ１，Ｃ１，…へ、即座に配信される。
【０１１７】
端末装置Ｂ１において、変更操作がなされることによって、文書表示画面４１に含まれる文書画像の範囲（即ち、参加者ｂが閲覧する閲覧範囲）が変更される都度、範囲データ３０３Ｂが生成される。範囲データ３０３Ｂには、文書表示画面４１に含まれる文書画像の範囲を示すデータが含まれている。このため、範囲データ３０３Ｂを参照すれば、文書表示画面４１に含まれる文書画像が、どの会議用文書の何頁目の文書画像であるか、表示倍率は何％であるか、及び、文書画像内の特定の座標が文書表示画面４１内の何れの座標に位置するか等を容易に知ることができる。なお、範囲データは、後述する描画レイヤ７Ｂ，…，７０が重ねられた結果の画像（即ち、端末装置Ｂ１における文書表示画面４１に含まれている画像そのもの）を示すものでもよい。
【０１１８】
端末装置Ｂ１では、生成された範囲データ３０３Ｂが、端末装置Ｂ１を識別する端末識別データと共に、中央装置３へ送信される。
範囲データ３０３Ｂ及び端末識別データを受信した中央装置３では、範囲データ３０３Ｂが、端末装置Ｂ１に関連付けて、会議進行部３０に記憶される。
会議進行部３０に記憶された範囲データ３０３Ｂは、端末装置Ａ１，Ｃ１，…へ、即座に配信される。
【０１１９】
次に、文書画像４５１及び編集画像４６Ａ，４６Ｂを含む文書表示画面４１の表示について説明する。
各端末装置１のディスプレイ２４では、マルチレイヤ方式で文書画像４５１及び編集画像４６Ａ，４６Ｂが表示される。このため、まず、マルチレイヤ方式での表示について説明する。
【０１２０】
図６に示すように、端末装置Ａ１のディスプレイ２４には、複数の描画レイヤ７Ａ，７Ｂ，７０夫々に描画された画像が重ね合わされてなる画像を含む文書表示画面４１が表示される。一方、端末装置Ｂ１のディスプレイ２４には、複数の描画レイヤ７Ｂ，７０夫々に描画された画像が重ね合わされてなる画像を含む文書表示画面４１が表示される。
描画レイヤ７０は、端末装置Ａ１，Ｂ１，Ｃ１，…の何れにおいても、最下層に配される。このため、図４及び図６に示すように、文書表示画面４１に含まれる文書画像４５１は、編集画像４６Ａ，４６Ｂよりも奥側に重ねて配される。
描画レイヤ７Ａには、参加者ａが個人編集モードで編集した編集画像が描画される。このため、描画レイヤ７Ａは、端末装置Ａ１にのみ設けられている。
【０１２１】
一方、描画レイヤ７Ｂには、参加者ｂが共有編集モードで編集した編集画像が描画される。このため、描画レイヤ７Ｂは、端末装置Ａ１，Ｂ１，…夫々に設けられている。
また、描画レイヤ７Ｂが設けられた後で、参加者ｃが共有編集モードで編集画像を描画した場合、この編集画像を描画するための図示しない描画レイヤは、端末装置Ａ１，Ｂ１，…夫々の描画レイヤ７Ｂの上側に設けられる。この結果、各参加者ａ，ｂ，ｃ，…が共有編集モードで編集した編集画像は、全ての端末装置Ａ１，Ｂ１，Ｃ１，…において、時系列的に上側へ重ねられていく。この結果、文書表示画面４１では、先に描画された編集画像の上に、後で描画された編集画像が表示されていくように見える。
【０１２２】
更に、描画レイヤ７Ｂが設けられた後で、参加者ｂが個人編集モードで編集画像を描画した場合、この編集画像を描画するための図示しない描画レイヤは、端末装置Ｂ１の描画レイヤ７Ｂの上側にのみ設けられる。
図６においては、個人編集モードで編集する編集画像を描画すべき描画レイヤ（具体的には描画レイヤ７Ａ）は、最上層に配されているが、共有編集モードで編集した編集画像が描画される描画レイヤ群の間又は下側に配されてもよい。
【０１２３】
以上のことから、端末装置Ａ１においては、図４及び図６に示すように、編集画像４６Ａが、文書画像４５１及び編集画像４６Ｂよりも手前側に重ねて配され、端末装置Ｂ１においては、図６に示すように、編集画像４６Ｂが、文書画像４５１及び編集画像４６Ａよりも手前側に重ねて配される。
なお、各端末装置１には、共有編集モードで編集した編集画像を描画すべき描画レイヤが１層のみ設けられる構成でもよい。
【０１２４】
次に、文書画像４５１を含む文書表示画面４１をディスプレイ２４に表示する手順について説明する。
中央装置３のＨＤＤ３２には、参加者ｂが解説すべき会議用文書の文書データ３Ｄが記憶されている。文書データ３Ｄは、ＨＤＤ３２から読み出されて、画像処理部３３に入力される。この結果、画像処理部３３に入力された文書データ３Ｄは、文書画像データ３１ｄ，３２ｄ，３３ｄに変換される。
【０１２５】
参加者ｂが会議用文書の１頁目の文書画像４５１を解説する場合には、中央装置３から端末装置Ａ１，Ｂ１，…へ、文書画像データ３１ｄと、文書画像４５１の画像識別データとが配信される。
文書画像データ３１ｄ及び画像識別データを受信した場合、端末装置Ａ１，Ｂ１夫々では、受信した文書画像データ３１ｄに基づいて、描画レイヤ７０に文書画像４５１が同時的に描画される。また、端末装置Ａ１，Ｂ１夫々では、受信した画像識別データが、文書表示画面４１に含まれている文書画像（この場合、文書画像４５１）を示す画像識別データとして、記憶される。
以上の結果、文書画像４５１を含む文書表示画面４１が、端末装置Ａ１，Ｂ１夫々のディスプレイ２４に同期的に表示される。
【０１２６】
次に、編集画像４６Ａ，４６Ｂを含む文書表示画面４１を端末装置Ａ１のディスプレイ２４に表示する手順について説明する。
端末装置Ａ１では、編集画像４６Ａの編集画像データに基づいて、描画レイヤ７Ａに、編集画像４６Ａが描画されている。
この場合に、端末装置Ａ１が、端末装置Ｂ１を識別する端末識別データと共に編集画像データ３０１Ｂを受信したとき、端末装置Ａ１では、描画レイヤ７Ａの下側に描画レイヤ７Ｂが生成され、受信した編集画像データ３０１Ｂに基づいて、生成された描画レイヤ７Ｂに、編集画像４６Ｂが描画される。
【０１２７】
以上の結果、編集画像４６Ａ，４６Ｂを含む文書表示画面４１が、端末装置Ａ１のディスプレイ２４に同期的に表示される。
なお、描画レイヤ７Ａは、消去／復元が自在であってもよい。この場合、参加者ａは、編集画像４６Ａを一時的に不可視化した状態で、編集画像４６Ｂを閲覧し、その後、再び編集画像４６Ａ，４６Ｂを共に閲覧することができる。
【０１２８】
次に、文書表示画面４１の変更の同期について説明する。
端末装置Ａ１が、端末装置Ｂ１を識別する範囲データ３０３Ｂを受信したとき、端末装置Ａ１では、変更保留条件が成立しているか否かを判定し、変更保留条件が成立していないならば、受信した範囲データ３０３Ｂに基づいて、範囲データ３０３Ｂが示す範囲の画像を含む文書表示画面４１がディスプレイ２４に表示されるように、文書表示画面４１が変更される。
【０１２９】
以上の結果、同一の範囲の文書画像を含む文書表示画面４１が、端末装置Ａ１，Ｂ１夫々のディスプレイ２４に同期的に表示される。
一方、変更保留条件が成立しているならば、端末装置Ａ１では、文書表示画面４１の変更が保留され、変更保留条件が成立しなくなったときに、保留されていた文書表示画面４１の変更が実行される。
【０１３０】
次に、変更保留条件について詳述する。
参加者ａにとっては、自分が編集画像を編集している間は、自分が閲覧している閲覧範囲が参加者ｂの都合で変更されてしまうことがない方が望ましい。何故ならば、編集画像の編集中に閲覧範囲が勝手に変更されてしまうと、編集作業に支障を来たす虞があるからである。
一方、編集画像の編集が終了した後、又は編集画像を編集していない場合には、自分が閲覧している閲覧範囲が、参加者ｂが閲覧している閲覧範囲に合わせて自動的に変更される方が便利である。
【０１３１】
このため、端末装置Ａ１では、共有編集モード及び個人編集モードの何れに設定されている場合でも、操作部２１〜２３で画像生成操作がなされている場合には、変更保留条件が成立しているものとする。以下では、端末装置Ａ１が個人編集モードに設定されている場合を例示する。
【０１３２】
また、参加者ａにとっては、編集画像を編集しておらずとも、閲覧中の文書画像を閲覧し続けたい場合（例えば、閲覧中の文書画像について、個人的に検討している場合）には、自分が閲覧している閲覧範囲が参加者ｂの都合で変更されてしまうことがない方が望ましい。
このため、端末装置Ａ１では、操作部２１〜２３で所定の押圧操作部が押圧操作されている間は、変更保留条件が成立しているものとする。このとき、例えばポインタが文書表示画面４１内に位置している状態で、又はポインタの位置とは無関係に、所定の押圧操作部が押圧操作されている間は、変更保留条件が成立しているものとしてもよい。以下では、このような押圧操作を、変更保留操作という。
【０１３３】
変更保留操作は、キーボード２３の所定の操作キー２３１（例えばスクロールロックキー）の押圧操作でもよく、マウス２２の操作ボタン２２１の押圧操作でもよく、ペン２０を用いたタブレット２１の押圧操作でもよい。
【０１３４】
変更保留条件は、操作部２１〜２３で編集開始操作を受け付けた編集開始時点（即ち、参加者ａが、編集画像の編集を開始する意思を示した時点）からの経過時間が所定時間未満である場合に、成立していると判定される。
また、変更保留条件は、画像編集モードがオンであり、且つ、操作部２１〜２３で画像生成操作を最後に受け付けた画像生成時点（即ち、参加者ａが、実際に編集画像を編集した最後の時点）からの経過時間が所定時間未満である場合に、編集開始時点からの経過時間に拘らず、成立していると判定される。
【０１３５】
ただし、変更保留条件は、画像編集モードがオンである状態で、操作部２１〜２３で編集終了操作を受け付けた（即ち、参加者ａが、編集画像の編集を終了する意思を示した）時点で、編集開始時点又は画像生成時点からの経過時間に拘らず、成立しなくなったと判定される。
更に、操作部２１〜２３で変更保留操作が開始された時点から変更保留操作が終了した時点までは、変更保留条件は常に成立していると判定される。
【０１３６】
なお、編集画像が文章を示すものである場合、最初の一文字を記入するためのキー入力がなされてから、句点若しくは読点を記入するためのキー入力がなされるまで、又は、改行若しくは改頁されるまで、或いは、所定の単語若しくは所定の一文が入力されるまで、変更保留条件が成立していると判定されてもよい。
【０１３７】
図７及び図８は、端末装置Ａ１で実行される編集画像生成処理の手順を示すフローチャートである。
制御部１１は、操作部２１〜２３で編集開始操作を受け付けたか否かを判定し（Ｓ１１）、受け付けていない場合（Ｓ１１でＮＯ）、Ｓ１１の処理を繰り返し実行する。
編集開始操作を受け付けた場合（Ｓ１１でＹＥＳ）、制御部１１は、変更保留条件が成立していることを示す第１保留フラグをオンにする（Ｓ１２）。この後、制御部１１は、第１保留フラグをオンにしてからの経過時間の計時を開始する（Ｓ１３）。更に、制御部１１は、画像編集モードをオンにして、画像生成操作の受け付けを開始する（Ｓ１４）。
【０１３８】
次いで、制御部１１は、操作部２１〜２３で画像生成操作を受け付けたか否かを判定し（Ｓ１５）、受け付けた場合（Ｓ１５でＹＥＳ）、オフにされている第１保留フラグをオンにするか、又は、オンにされている第１保留フラグをオンのまま維持する（Ｓ１６）。
次に、制御部１１は、経過時間の計時を終了して計時結果をゼロにリセットし（Ｓ１７）、次いで、第１保留フラグをオンにしてからの経過時間の計時を開始する（Ｓ１８）。
【０１３９】
更に、制御部１１は、Ｓ１５で受け付けた画像生成操作に応じて、編集画像を編集する（Ｓ１９）。Ｓ１９の処理では、編集画像データが生成され、生成された編集画像データに基づいて、描画レイヤ７Ａに、編集画像が描画される。この結果、編集画像を含む文書表示画面４１がディスプレイ２４に表示される。編集画像が全部削除された場合には、編集画像を含まない文書表示画面４１がディスプレイ２４に表示される。ここで、編集画像データの生成とは、新たな編集画像データの生成、既存の編集画像データの修正又は削除等を意味する。
Ｓ１９の処理終了後、制御部１１は、処理をＳ１５へ戻す。
【０１４０】
なお、端末装置Ａ１が共有編集モードに設定されている場合には、制御部１１は、Ｓ１９で生成した編集画像データと、編集した編集画像に対応する文書画像の画像識別データとを関連付けて、端末装置Ａ１を識別する端末識別データと共に、中央装置３へ送信する。
【０１４１】
画像生成操作を受け付けていない場合（Ｓ１５でＮＯ）、制御部１１は、操作部２１〜２３で編集終了操作を受け付けたか否かを判定する（Ｓ２１）。
編集終了操作を受け付けた場合（Ｓ２１でＹＥＳ）、制御部１１は、経過時間の計時を終了して計時結果をゼロにリセットし（Ｓ２２）、オンにされている第１保留フラグをオフにするか、又はオフにされている第１保留フラグをオフのまま維持する（Ｓ２３）。更に、制御部１１は、画像編集モードをオフにして、画像生成操作の受け付けを終了する（Ｓ２４）。次いでに、制御部１１は、第２保留フラグを特定保留フラグとしてから（Ｓ２５）、後述する画面同期処理を行なうサブルーチン（図１４参照）を呼び出し、実行する（Ｓ２６）。最後に、制御部１１は、処理をＳ１１へ戻す。
【０１４２】
編集終了操作を受け付けていない場合（Ｓ２１でＮＯ）、制御部１１は、経過時間が所定時間以上であるか否かを判定し（Ｓ２７）、所定時間未満である場合（Ｓ２７でＮＯ）、処理をＳ１５へ戻す。
経過時間が所定時間以上である場合（Ｓ２７でＹＥＳ）、制御部１１は、オンにされている第１保留フラグをオフにするか、又はオフにされている第１保留フラグをオフのまま維持する（Ｓ２８）。
【０１４３】
次に、制御部１１は、第２保留フラグを特定保留フラグとしてから（Ｓ２９）、画面同期処理を行なうサブルーチン（図１４参照）を呼び出し、実行する（Ｓ３０）。最後に、制御部１１は、処理をＳ１５へ戻す。
以上のような編集画像生成処理で、制御部１１は、計時手段として機能する。この場合、制御部１１は、自身に入力されるクロックを計数するか、又は、図示しないタイマを用いることによって、経過時間を計時する。
【０１４４】
図９は、端末装置Ａ１で実行される閲覧固定処理の手順を示すフローチャートである。
制御部１１は、操作部２１〜２３で変更保留操作が開始されたか否かを判定し（Ｓ３１）、まだ開始されていない場合（Ｓ３１でＮＯ）、Ｓ３１の処理を繰り返し実行する。
変更保留操作が開始された場合（Ｓ３１でＹＥＳ）、制御部１１は、変更保留条件が成立していることを示す第２保留フラグをオンにする（Ｓ３２）。
【０１４５】
次に、制御部１１は、変更保留操作が終了したか否かを判定し（Ｓ３３）、まだ終了していない場合（Ｓ３３でＮＯ）、Ｓ３３の処理を繰り返し実行する。
変更保留操作が終了した場合（Ｓ３３でＹＥＳ）、制御部１１は、第２保留フラグをオフにする（Ｓ３４）。
【０１４６】
次に、制御部１１は、第１保留フラグを特定保留フラグとしてから（Ｓ３５）、画面同期処理を行なうサブルーチン（図１４参照）を呼び出し、実行する（Ｓ３６）。最後に、制御部１１は、処理をＳ３１へ戻す。
なお、図９に示す閲覧固定処理では、変更保留操作が開始された直後に第２保留フラグがオンにされているが、変更保留操作が開始された時点から適宜の時間が経過した後に（即ち、操作部２１〜２３がいわゆる長押しされた場合に）、第２保留フラグがオンにされる構成でもよい。
【０１４７】
図１０は、会議システム６で実行される第１〜第３の画面変更処理の手順を示すフローチャートである。図１０には、次の図１１〜図１３に示す第１〜第３の画面変更処理を抜粋したものが示されている。
図１１は、端末装置Ｂ１で実行される第１の画面変更処理の手順を示すフローチャートであり、図１２は、中央装置３で実行される第２の画面変更処理の手順を示すフローチャートであり、図１３は、端末装置Ａ１で実行される第３の画面変更処理の手順を示すフローチャートである。
端末装置Ａ１，Ｂ１以外の端末装置１（例えば端末装置Ｃ１）では、図１３に示す第３の画面変更処理と同様の画面変更処理が実行されるため、説明を省略する。
【０１４８】
図１０及び図１１に示すように、端末装置Ｂ１の制御部１１は、操作部２１〜２３で変更操作を受け付けたか否かを判定し（Ｓ４１）、受け付けていない場合（Ｓ４１でＮＯ）、Ｓ４１の処理を繰り返し実行する。
変更操作を受け付けた場合（Ｓ４１でＹＥＳ）、制御部１１は、受け付けた変更操作に応じて、変更操作に応じた範囲の画像を含む文書表示画面４１がディスプレイ２４に表示されるように、文書表示画面４１を変更する（Ｓ４２）。この結果、ディスプレイ２４には、頁送りされた後、又は拡大／縮小された後の文書画像が含まれている文書表示画面４１が表示される。つまり、Ｓ４２における制御部１１は、本発明の実施の形態における表示変更手段として機能する。
【０１４９】
Ｓ４２の処理終了後、制御部１１は、変更後の文書表示画面４１に含まれる画像の範囲を示す範囲データを生成し（Ｓ４３）、生成した範囲データを、端末装置Ｂ１を識別する端末識別データと共に、中央装置３へ送信する（Ｓ４４）。つまり、Ｓ４４における制御部１１は、本発明の実施の形態における送信手段として機能する。
Ｓ４４の処理終了後、制御部１１は、処理をＳ４１へ戻す。
【０１５０】
図１０及び図１２に示すように、中央装置３の制御部３１は、範囲データを受信したか否かを判定し（Ｓ５１）、受信していない場合は（Ｓ５１でＮＯ）、Ｓ５１の処理を繰り返し実行する。
範囲データを受信した場合（Ｓ５１でＹＥＳ）、制御部３１は、Ｓ５１で受信した範囲データが、解説者が使用する特定の端末装置１（この場合、端末装置Ｂ１）から送信されたものであるか否かを判定する（Ｓ５２）。
【０１５１】
特定の端末装置１（即ち端末装置Ｂ１）から送信されたものである場合（Ｓ５２でＹＥＳ）、制御部３１は、Ｓ５１で受信した範囲データを、送信元の端末装置１（即ち端末装置Ｂ１）に関連付けて、会議進行部３０に記憶させてから（Ｓ５３）、Ｓ５１で受信した範囲データを、送信元の端末装置１以外の端末装置１（即ち端末装置Ａ１，Ｃ１，…）へ配信する（Ｓ５４）。Ｓ５４における制御部３１は、範囲配信手段として機能する。
Ｓ５４の処理終了後、制御部３１は、処理をＳ５１へ戻す。
【０１５２】
図１０及び図１３に示すように、端末装置Ａ１の制御部１１は、範囲データを受信したか否かを判定し（Ｓ６１）、受信していない場合（Ｓ６１でＮＯ）、Ｓ６１の処理を繰り返し実行する。
範囲データを受信した場合（Ｓ６１でＹＥＳ）、制御部１１は、第１保留フラグがオンであるか否かを判定し（Ｓ６２）、オフである場合には（Ｓ６２でＮＯ）、第２保留フラグがオンであるか否かを判定する（Ｓ６３）。Ｓ６２及びＳ６３夫々における制御部１１は、判定手段として機能する。
【０１５３】
第２保留フラグがオフである場合（Ｓ６３でＮＯ）、即ち、第１保留フラグ及び第２保留フラグが両方ともオフである場合、制御部１１は、Ｓ６１で受信した範囲データに基づいて、範囲データが示す範囲の画像を含む文書表示画面４１がディスプレイ２４に表示されるように、文書表示画面４１を変更する（Ｓ６４）。この結果、ディスプレイ２４には、端末装置Ｂ１で頁送りされた後、又は拡大／縮小された後の文書画像が含まれている文書表示画面４１と同様の文書表示画面４１が表示される。つまり、Ｓ６３における制御部１１は、本発明の実施の形態における画面変更手段として機能する。
Ｓ６４の処理終了後、制御部１１は、処理をＳ６１へ戻す。
【０１５４】
第１保留フラグがオンである場合（Ｓ６２でＹＥＳ）、又は、第２保留フラグがオンである場合（Ｓ６３でＹＥＳ）、即ち、第１保留フラグ及び第２保留フラグの内、少なくとも一方がオンである場合、制御部１１は、Ｓ６１で受信した範囲データをＨＤＤ１２に記憶させる（Ｓ６５）。
次いで、制御部１１は、第１保留フラグ及び第２保留フラグが両方ともオフであるか否かを判定し（Ｓ６６）、第１保留フラグ及び第２保留フラグの内、少なくとも一方がオンである場合には（Ｓ６６でＮＯ）、処理をＳ６１へ戻す。この後、Ｓ６１の処理にて、新たな範囲データを受信した場合には、制御部１１は、Ｓ６５の処理を実行することによって、既にＨＤＤ１２に記憶されている範囲データを、新たな範囲データで上書きすればよい。
【０１５５】
第１保留フラグ及び第２保留フラグが両方ともオフである場合（Ｓ６６でＹＥＳ）、制御部１１は、処理をＳ６４へ移し、Ｓ６５でＨＤＤ１２に記憶させた範囲データに基づいて、文書表示画面４１を変更する。つまり、Ｓ６５及びＳ６６における制御部１１は、本発明の実施の形態における保留手段として機能する。
Ｓ６４の処理終了後、制御部１１は、Ｓ６５でＨＤＤ１２に記憶させた範囲データを削除してから、処理をＳ６１へ戻す。
【０１５６】
ところで、端末装置Ａ１，Ｃ１においても、図１０及び図１１に示す第１の画面変更処理が実行される。このため、参加者ａ，ｃが、自身の都合に応じて、閲覧範囲を変更することができる。
【０１５７】
図１２に示すように、Ｓ５１で受信した範囲データが特定の端末装置１以外の端末装置１（例えば、端末装置Ａ１）から送信されたものである場合（Ｓ５２でＮＯ）、中央装置３の制御部３１は、Ｓ５１で受信した範囲データを、送信元の端末装置１（即ち端末装置Ａ１）に関連付けて、会議進行部３０に記憶させる（Ｓ５５）。
Ｓ５５の処理終了後、制御部３１は、処理をＳ５１へ戻す。
【０１５８】
図１４は、会議システム６で実行される画面同期処理手順のサブルーチンを示すフローチャートである。
制御部１１は、特定保留フラグがオフであるか否かを判定する（Ｓ１０１）。
特定保留フラグがオンである場合（Ｓ１０１でＮＯ）、第１保留フラグ及び第２保留フラグの一方がオンであるため、制御部１１は、処理を元のルーチンへ戻す。
特定保留フラグがオフである場合（Ｓ１０１でＹＥＳ）、第１保留フラグ及び第２保留フラグの両方がオンであるため、制御部１１は、Ｓ６５の処理が実行された結果としてＨＤＤ１２に範囲データが記憶されているか否かを判定する（Ｓ１０２）。
【０１５９】
範囲データが記憶されていない場合（Ｓ１０２でＮＯ）、文書表示画面４１を変更する必要はないため、制御部１１は、処理を元のルーチンへ戻す。
範囲データが記憶されている場合（Ｓ１０２でＹＥＳ）、文書表示画面４１を変更する必要があるため、制御部１１は、Ｓ６４の処理と同様に、ＨＤＤ１２に記憶させれている範囲データに基づいて、文書表示画面４１を変更する（Ｓ１０３）。
この後、制御部１１は、ＨＤＤ１２に記憶されている範囲データを削除してから、処理を処理を元のルーチンへ戻す。
【０１６０】
図１５は、会議システム６で実行される編集画像共有処理の手順を示すフローチャートである。図１５には、端末装置Ｂ１で実行される編集画像共有処理と、中央装置３で実行される編集画像共有処理と、端末装置Ａ１で実行される編集画像共有処理とが示されている。
端末装置Ｂ１に係る編集画像共有処理は、端末装置Ｂ１にて画像編集モードがオンである場合に実行される。
端末装置Ａ１，Ｂ１以外の端末装置１（例えば端末装置Ｃ１）では、端末装置Ａ１に係る編集画像共有処理と同様の編集画像共有処理が実行されるため、説明を省略する。
【０１６１】
端末装置Ｂ１の制御部１１は、操作部２１〜２３で画像生成操作を受け付けたか否かを判定し（Ｓ７１）、受け付けていない場合（Ｓ７１でＮＯ）、Ｓ７１の処理を繰り返し実行する。
【０１６２】
画像生成操作を受け付けた場合（Ｓ７１でＹＥＳ）、制御部１１は、Ｓ７１で受け付けた画像生成操作に応じて、編集画像を編集する（Ｓ７２）。Ｓ７２の処理では、編集画像データが生成され、生成された編集画像データに基づいて、描画レイヤ７Ｂに、編集画像が描画される。この結果、編集画像を含む文書表示画面４１がディスプレイ２４に表示される。編集画像が全部削除された場合には、編集画像を含まない文書表示画面４１がディスプレイ２４に表示される。
Ｓ７２の処理終了後、制御部１１は、Ｓ７２で生成した編集画像データと、編集した編集画像に対応する文書画像の画像識別データとを関連付けて、端末装置Ｂ１を識別する端末識別データと共に、中央装置３へ送信し（Ｓ７３）、処理をＳ７１へ戻す。
【０１６３】
中央装置３の制御部３１は、編集画像データ及び画像識別データを受信したか否かを判定し（Ｓ８１）、受信していない場合は（Ｓ８１でＮＯ）、Ｓ８１の処理を繰り返し実行する。
【０１６４】
編集画像データ及び画像識別データを受信した場合（Ｓ８１でＹＥＳ）、制御部３１は、Ｓ８１で受信した編集画像データ及び画像識別データを、送信元の端末装置１（即ち端末装置Ｂ１）に関連付けて、会議進行部３０に記憶させる（Ｓ８２）。次いで、制御部３１は、Ｓ８１で受信した編集画像データ及び画像識別データと、送信元の端末識別データとを関連付けて、送信元の端末装置１以外の端末装置１（即ち端末装置Ａ１，Ｃ１，…）へ配信する（Ｓ８３）。Ｓ８３における制御部３１は、画像配信手段として機能する。
Ｓ８３の処理終了後、制御部３１は、処理をＳ８１へ戻す。
【０１６５】
端末装置Ａ１の制御部１１は、編集画像データ、画像識別データ、及び端末識別データを受信したか否かを判定し（Ｓ９１）、受信していない場合（Ｓ９１でＮＯ）、Ｓ９１の処理を繰り返し実行する。
編集画像データ、画像識別データ、及び端末識別データを受信した場合（Ｓ９１でＹＥＳ）、制御部１１は、Ｓ９１で受信した編集画像データによって示される編集画像を含む文書表示画面４１を表示すべきか否かを判定する（Ｓ９２）。
【０１６６】
Ｓ９２の処理では、Ｓ９１で受信した編集画像データが、現在、文書表示画面４１に含まれている文書画像に重ねるべき画像の画像データであるときに、表示すべきであると判定される。このために、まず、制御部１１は、Ｓ９１で受信した画像識別データが、現在、文書表示画面４１に含まれている文書画像の画像識別データと同じものであるか否かを判定し、異なる場合には、表示すべきではないと判定する。
【０１６７】
同じものである場合には、制御部１１は、Ｓ９１で受信した編集画像データによって示される編集画像の少なくとも一部が、現在、文書表示画面４１に含まれている文書画像に位置するか否かを判定し、位置していない場合には、表示すべきではないと判定する。
文書表示画面４１に含まれている文書画像に位置する場合には、制御部１１は、表示すべきであると判定する。
このように、Ｓ９２における表示可否の判定は、第１保留フラグ及び第２保留フラグ夫々のオン／オフには無関係である。
【０１６８】
表示すべきでない場合（Ｓ９２でＮＯ）、制御部１１は、処理をＳ９１へ戻す。
表示すべきである場合（Ｓ９２でＹＥＳ）、制御部１１は、Ｓ９１で受信した端末画像データに対応する描画レイヤ（この場合、描画レイヤ７Ｂ）に、Ｓ９１で受信した編集画像データに基づく編集画像を描画し（Ｓ９３）、処理をＳ９１へ戻す。
【０１６９】
以上の結果、文書表示画面４１に含まれている文書画像に重ねるべき編集画像の編集画像データを受信した場合には、変更保留条件が成立しているか否か、そして、文書表示画面４１の変更が保留されているか否かに拘らず、受信した編集画像データに基づく編集画像を含む文書表示画面４１が、ディスプレイ２４に表示される。
【０１７０】
ここで、図示はしないが、Ｓ９１で受信した各種データは、ＨＤＤ１２に記憶される。そして、Ｓ９２の処理終了後、操作部２１〜２３で変更操作を受け付けるか、又は、第１保留フラグ及び第２保留フラグが共にオフになることによって、文書表示画面４１が変更される都度、制御部１１は、Ｓ９２及びＳ９３と同様の処理を実行する。
なお、Ｓ９１で受信した各種データを破棄し、Ｓ９２の処理終了後、文書表示画面４１が変更される都度、制御部１１が、変更後の文書表示画面４１に含むべき編集画像を示す編集画像データの在否を中央装置３に確認し、存在する場合は、所要の編集画像データを受信する構成でもよい。
【０１７１】
図１６、図１７、及び図１８は、端末装置Ｂ１、端末装置Ｃ１、及び端末装置Ａ１で表示される文書表示画面４１の内容の変化の一例を示す模式図である。ここでは、端末装置Ｂ１で文書画像が頁送りされた場合に、端末装置Ｃ１では文書画像の頁送りが同期し、端末装置Ａ１では保留される場合を例示する。
【０１７２】
図１６（ａ）、図１７（ａ）、及び図１８（ａ）夫々には、第１の時点における文書表示画面４１が示されている。図１６（ｂ）、図１７（ｂ）、及び図１８（ｂ）夫々には、第１の時点よりも後の第２の時点における文書表示画面４１が示されている。同様に、図１６（ｃ）、図１７（ｃ）、及び図１８（ｃ）夫々には、第２の時点よりも後の第３の時点における文書表示画面４１が示されており、図１６（ｄ）、図１７（ｄ）、及び図１８（ｄ）夫々には、第３の時点よりも後の第４の時点における文書表示画面４１が示されている。
【０１７３】
図１６（ａ）、図１７（ａ）、及び図１８（ａ）に示すように、第１の時点における端末装置Ｂ１，Ｃ１，Ａ１夫々の文書表示画面４１には、１頁目の文書画像４５１が含まれている。
端末装置Ｂ１を使用する参加者ｂは、第１の時点では（図１６（ａ）参照）、操作部２１〜２３を操作していない。
端末装置Ｃ１を使用する参加者ｃは、第１の時点では（図１７（ａ）参照）、操作部２１〜２３を操作していない。
【０１７４】
端末装置Ａ１を使用する参加者ａは、第１の時点では（図１８（ａ）参照）、ペン２０を用いてタブレット２１を操作している。第１の時点での操作は、文書画像４５１に編集画像４６Ａを追加するための画像生成操作である。端末装置Ａ１は、個人編集モードに設定されているものとする。
画像生成操作の結果として、端末装置Ａ１の文書表示画面４１には、編集中の編集画像４６Ａも含まれている。しかしながら、編集画像４６Ａは、個人編集モードで編集されたものであるため、端末装置Ｂ１，Ｃ１夫々の文書表示画面４１には、編集画像４６Ａは含まれていない。従って、参加者ｂ，ｃには、参加者ａが編集画像４６Ａを編集していることはわからない。
【０１７５】
次に、第２の時点では、参加者ｂは（図１６（ｂ）参照）、キーボード２３の右方向キーである操作キー２３１を操作している。第２の時点での操作は、１頁目の文書画像４５１を２頁目の文書画像４５２へ頁送りするための変更操作である。
変更操作の結果として、端末装置Ｂ１の文書表示画面４１には、２頁目の文書画像４５２が含まれている。
【０１７６】
第２の時点では、参加者ｃは（図１７（ｂ）参照）、操作部２１〜２３を操作していない。従って、変更保留条件は成立していない。
このため、端末装置Ｃ１の文書表示画面４１は、端末装置Ｂ１の文書表示画面４１と同じく、２頁目の文書画像４５２が含まれている。つまり、端末装置Ｃ１での頁送りは、端末装置Ｂ１での頁送りに同期している。
【０１７７】
第２の時点では、参加者ａは（図１８（ｂ）参照）、ペン２０を用いてタブレット２１を操作している。第２の時点での操作は、編集画像４６Ａを編集し続けるための画像生成操作である。従って、変更保留条件が成立している。
このため、端末装置Ａ１の文書表示画面４１には、１頁目の文書画像４５１と、編集画像４６Ａが含まれている。つまり、端末装置Ａ１での頁送りは、端末装置Ｂ１での頁送りに同期しておらず、保留されている。
【０１７８】
更に、第３の時点では、参加者ｂは（図１６（ｃ）参照）、ペン２０を用いてタブレット２１を操作している。第３の時点での操作は、文書画像４５２に編集画像４７Ｂを追加するための画像生成操作である。
画像生成操作の結果として、端末装置Ｂ１の文書表示画面４１には、編集画像４７Ｂが追加された文書画像４５２が含まれている。
【０１７９】
第３の時点では、参加者ｃは（図１７（ｃ）参照）、操作部２１〜２３を操作していない。従って、変更保留条件は成立していない。
このため、端末装置Ｃ１の文書表示画面４１は、端末装置Ｂ１の文書表示画面４１と同じく、編集画像４７Ｂが追加された文書画像４５２が含まれている。
【０１８０】
第３の時点では、参加者ａは（図１８（ｃ）参照）、ペン２０を用いてタブレット２１を操作している。第３の時点での操作は、編集画像４６Ａを編集し続けるための画像生成操作である。従って、変更保留条件が成立している。
このため、端末装置Ａ１の文書表示画面４１には、１頁目の文書画像４５１と、編集画像４６Ａも含まれている。つまり、端末装置Ａ１での頁送りは、保留され続けている。
ところで、端末装置Ａ１の文書表示画面４１には、文書画像４５２が含まれていない。故に、端末装置Ａ１の文書表示画面４１には、編集画像４７Ｂも含まれていない。
【０１８１】
更に、第４の時点では、参加者ｂは（図１６（ｄ）参照）、操作部２１〜２３を操作していない。
このため、端末装置Ｂ１の文書表示画面４１には、編集画像４７Ｂが追加された文書画像４５２が含まれている状態のままである。
第４の時点では、参加者ｃは（図１７（ｄ）参照）、操作部２１〜２３を操作していない。
このため、端末装置Ｃ１の文書表示画面４１は、端末装置Ｂ１の文書表示画面４１と同じく、編集画像４７Ｂが追加された文書画像４５２が含まれている状態のままである。
【０１８２】
第４の時点では、参加者ａは（図１８（ｄ）参照）、操作部２１〜２３を操作していない。従って、変更保留条件は成立していない。
このため、端末装置Ｃ１の文書表示画面４１は、端末装置Ｂ１の文書表示画面４１と同じく、文書画像４５２が含まれている。つまり、端末装置Ａ１での頁送りの保留が解除されている。しかも、文書画像４５２には、編集画像４７Ｂが追加されている。
【０１８３】
以上のような場合、端末装置Ｂ１で頁送りされてから、端末装置Ａ１で頁送りされるまでの間に、参加者ａが編集画像４６Ａを編集するための有用なタイムラグを発生させることができる。
一方、端末装置Ｂ１で頁送りされてから、端末装置Ｃ１で頁送りされるまでの間に、参加者ｃを無駄に待たせてしまうような無用なタイムラグは発生しない。
【０１８４】
図１９、図２０、及び図２１は、端末装置Ｂ１、端末装置Ｃ１、及び端末装置Ａ１で表示される文書表示画面４１の内容の変化の一例を示す模式図である。ここでは、端末装置Ｂ１で文書画像が拡大された場合に、端末装置Ｃ１では文書画像の拡大が同期し、端末装置Ａ１では保留される場合を例示する。
【０１８５】
図１９（ａ）、図２０（ａ）、及び図２１（ａ）夫々には、第５の時点における文書表示画面４１が示されている。図１９（ｂ）、図２０（ｂ）、及び図２１（ｂ）夫々には、第５の時点よりも後の第６の時点における文書表示画面４１が示されている。同様に、図１９（ｃ）、図２０（ｃ）、及び図２１（ｃ）夫々には、第６の時点よりも後の第７の時点における文書表示画面４１が示されており、図２０（ｄ）、図２１（ｄ）、及び図２２（ｄ）夫々には、第７の時点よりも後の第８の時点における文書表示画面４１が示されている。
【０１８６】
図１９（ａ）、図２０（ａ）、及び図２１（ａ）に示すように、第５の時点における端末装置Ｂ１，Ｃ１，Ａ１夫々の文書表示画面４１には、拡大されていない文書画像４５１が含まれている。
端末装置Ｂ１を使用する参加者ｂは、第５の時点では（図１９（ａ）参照）、操作部２１〜２３を操作していない。
端末装置Ｃ１を使用する参加者ｃは、第５の時点では（図２０（ａ）参照）、操作部２１〜２３を操作していない。
端末装置Ａ１を使用する参加者ａは、第５の時点では（図２１（ａ）参照）、マウス２２の操作ボタン２２１を押圧操作している。第５の時点での押圧操作は、変更保留操作である。
【０１８７】
次に、第６の時点では、参加者ｂは（図１９（ｂ）参照）、キーボード２３の上方向キーである操作キー２３１を操作している。第６の時点での操作は、拡大されていない文書画像４５１を拡大するための変更操作である。
変更操作の結果として、端末装置Ｂ１の文書表示画面４１には、拡大された文書画像４５１の一部分（文字「イ」のみ）が含まれている。
【０１８８】
第６の時点では、参加者ｃは（図２０（ｂ）参照）、操作部２１〜２３を操作していない。従って、変更保留条件は成立していない。
このため、端末装置Ｃ１の文書表示画面４１は、端末装置Ｂ１の文書表示画面４１と同じく、拡大された文書画像４５１が含まれている。つまり、端末装置Ｃ１での文書画像の拡大は、端末装置Ｂ１での文書画像の拡大に同期している。
【０１８９】
第６の時点では、参加者ａは（図２１（ｂ）参照）、マウス２２の操作ボタン２２１を押圧操作している。第５の時点での押圧操作は、変更保留操作である。従って、変更保留条件が成立している。
このため、端末装置Ａ１の文書表示画面４１には、拡大されていない文書画像４５１が含まれている。つまり、端末装置Ａ１での文書画像の拡大は、端末装置Ｂ１での文書画像の拡大に同期しておらず、保留されている。
【０１９０】
更に、第７の時点では、参加者ｂは（図１９（ｃ）参照）、ペン２０を用いてタブレット２１を操作している。第７の時点での操作は、文書画像４５１に編集画像４８Ｂを追加するための画像生成操作である。端末装置Ｂ１は、共有編集モードに設定されているものとする。
画像生成操作の結果として、端末装置Ｂ１の文書表示画面４１には、拡大され、しかも編集画像４８Ｂが追加された文書画像４５１が含まれている。
【０１９１】
第７の時点では、参加者ｃは（図２０（ｃ）参照）、操作部２１〜２３を操作していない。従って、変更保留条件は成立していない。
このため、端末装置Ｃ１の文書表示画面４１は、端末装置Ｂ１の文書表示画面４１と同じく、拡大され、しかも編集画像４８Ｂが追加された文書画像４５１が含まれている。
【０１９２】
第７の時点では、参加者ａは（図２１（ｃ）参照）、マウス２２の操作ボタン２２１を押圧操作している。第５の時点での押圧操作は、変更保留操作である。従って、変更保留条件が成立している。
このため、端末装置Ａ１の文書表示画面４１には、拡大されていない文書画像４５１が含まれている。つまり、端末装置Ａ１での文書画像の拡大は、保留され続けている。
【０１９３】
ところで、端末装置Ａ１の文書表示画面４１には、編集画像４８Ｂも含まれている。何故ならば、端末装置Ａ１の文書表示画面４１には、端末装置Ｂ１の文書表示画面４１に含まれている部分に対応する部分が含まれているからである。即ち、編集画像４８Ｂは、端末装置Ａ１の文書表示画面４１に含まれている文書画像４５１に重ねるべき画像だからである。ただし、端末装置Ａ１の文書表示画面４１に含まれている編集画像４８Ｂは、端末装置Ｂ１の文書表示画面４１に含まれている編集画像４８Ｂが縮小されたものである。
【０１９４】
更に、第８の時点では、参加者ｂは（図１９（ｄ）参照）、操作部２１〜２３を操作していない。
このため、端末装置Ｂ１の文書表示画面４１には、拡大され、しかも編集画像４８Ｂが追加された文書画像４５１が含まれている状態のままである。
第８の時点では、参加者ｃは（図２０（ｄ）参照）、操作部２１〜２３を操作していない。
このため、端末装置Ｃ１の文書表示画面４１は、端末装置Ｂ１の文書表示画面４１と同じく、拡大され、しかも編集画像４８Ｂが追加された文書画像４５１が含まれている状態のままである。
【０１９５】
第８の時点では、参加者ａは（図２１（ｄ）参照）、操作部２１〜２３を操作していない。従って、変更保留条件は成立していない。
このため、端末装置Ａ１の文書表示画面４１は、端末装置Ｂ１の文書表示画面４１と同じく、拡大され、しかも編集画像４８Ｂが追加された文書画像４５１が含まれている。つまり、端末装置Ａ１での文書画像の拡大の保留が解除されている。
【０１９６】
以上のような場合、端末装置Ｂ１で文書画像４５１が拡大されてから、端末装置Ａ１で文書画像４５１が拡大されるまでの間に、参加者ａが拡大されていない文書画像４５１を閲覧し続けるための有用なタイムラグを発生させることができる。しかも、参加者ａは、文書画像４５１が拡大されていなくても、参加者ｂが拡大された文書画像４５１に追加した編集画像４８Ｂを閲覧することができる。
一方、端末装置Ｂ１で文書画像４５１が拡大されてから、端末装置Ｃ１で文書画像４５１が拡大されるまでの間に、参加者ｃを無駄に待たせてしまうような無用なタイムラグは発生しない。
【０１９７】
なお、変更保留条件は、本実施の形態で例示したものに限定されない。
例えば、参加者ａにとっては、自分が閲覧範囲を変更した場合に、変更後の閲覧範囲が参加者ｂの都合で更に変更されてしまうことがない方が望ましい。
このため、端末装置Ａ１では、操作部２１〜２３で変更操作がなされている場合には、変更保留条件が成立しているものとする。
【０１９８】
このような構成においては、端末装置Ａ１では、操作部２１〜２３で変更操作を受け付けてから所定時間が経過するまでの間、又は、拡大縮小モードがオンにされている間等に、変更保留条件が成立していると判定される。このとき、参加者ａは、１頁目の文書画像を拡大して閲覧している場合に、参加者ｂが１頁目の文書画像から２頁目の文書画像へ頁送りさせても、拡大した１頁目の文書画像を閲覧し続けることができる。
【０１９９】
本実施の形態の会議システム６は、例えば参加者ｂが共有編集モードで編集画像を編集している場合には、参加者ｃによる変更操作を受け付けない構成であってもよい。
逆に、会議システム６は、参加者ｂが共有編集モードで編集画像を編集している場合であっても、参加者ｃによる変更操作を受け付け、参加者ｂの端末装置Ｂ１を除く端末装置１，１，…にて表示される文書表示画面４１を同期的に変更する構成でもよい。この場合、参加者ｂは、拡大表示された文書画像の上で編集画像を編集し、参加者ａ，ｃ，…は、参加者ｂが編集している編集画像と共に、縮小表示された文書画像を閲覧するような、臨機応変な使い方が可能になる。そして、参加者ｂは、編集画像の編集が終了したときに、自身が編集した編集画像と共に、縮小表示された文書画像を閲覧する。
【０２００】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
【０２０１】
例えば、本実施の形態の会議システム６は、端末装置１，１，…と中央装置３とを用いたクライアントサーバ型の通信方式で会議の実現を支援する構成であるが、中央装置３を用いず、端末装置１，１，…のみを用いたピア・トゥ・ピア型の通信方式で会議の実現を支援する構成でもよい。或いは、会議システム６は、２台の端末装置１，１のみを用いたポイント・トゥ・ポイント型の通信方式でもよく、端末装置１，１，…とＭＣＵ（多地点接続装置）とを用いたポイント・トゥ・マルチポイント型又はマルチポイント・トゥ・ポイント型の通信方式でもよい。
【０２０２】
また、本発明の効果がある限りにおいて、会議システム６又は端末装置１に、実施の形態に開示されていない構成要素が含まれていてもよい。
【符号の説明】
【０２０３】
１    端末装置（情報処理装置）
１１  制御部
２１  タブレット（操作部，押圧操作部）
２２  マウス（操作部）
２２１  操作ボタン（押圧操作部）
２３  キーボード（操作部）
２３１  操作キー（押圧操作部）
２４  ディスプレイ（表示部）
３    中央装置（サーバ装置）
３１  制御部
３１ｄ，３２ｄ，３３ｄ  文書画像データ（画像データ）
３０１Ａ，３０１Ｂ  編集画像データ（画像データ）
３０３Ａ，３０３Ｂ  範囲データ
６    会議システム
９Ｐ  端末プログラム（コンピュータプログラム）
【図１】
2011134122.tif 000003
【図２】
2011134122.tif 000004
【図３】
2011134122.tif 000005
【図４】
2011134122.tif 000006
【図５】
2011134122.tif 000007
【図６】
2011134122.tif 000008
【図７】
2011134122.tif 000009
【図８】
2011134122.tif 000010
【図９】
2011134122.tif 000011
【図１０】
2011134122.tif 000012
【図１１】
2011134122.tif 000013
【図１２】
2011134122.tif 000014
【図１３】
2011134122.tif 000015
【図１４】
2011134122.tif 000016
【図１５】
2011134122.tif 000017
【図１６】
2011134122.tif 000018
【図１７】
2011134122.tif 000019
【図１８】
2011134122.tif 000020
【図１９】
2011134122.tif 000021
【図２０】
2011134122.tif 000022
【図２１】
2011134122.tif 000023